(57)【要約】  本開示は、マルチビームによるアップリンクチャネルの送信のための方法、端末装置及びネットワーク側装置を開示する。前記方法は、アップリンクチャネル用の複数のアップリンクビーム情報を含む設定情報を受信することを含み、ここで、前記複数のアップリンクビーム情報は、前記アップリンクチャネルの関連パラメータと関連付け関係を有する。
2021532662.tif 000002
【特許請求の範囲】
【請求項１】
端末装置に適用される、マルチビームによるアップリンクチャネルの送信のための方法であって、
アップリンクチャネル用の複数のアップリンクビーム情報を含む設定情報を受信することを含み、
ここで、前記複数のアップリンクビーム情報は、前記アップリンクチャネルの関連パラメータと関連付け関係を有する、マルチビームによるアップリンクチャネルの送信のための方法。
【請求項２】
前記の設定情報を受信することは、
前記設定情報を指示するためのダウンリンク制御情報ＤＣＩを受信することを含む、請求項１に記載のマルチビームによるアップリンクチャネルの送信のための方法。
【請求項３】
前記アップリンクチャネルは、物理アップリンク共有チャネルＰＵＳＣＨであり、前記ＤＣＩには、少なくとも１つのサウンディング参照信号リソース指示ＳＲＩシグナリングフィールドが含まれ、
前記ＤＣＩが前記設定情報を指示する方式は、
１つのＳＲＩシグナリングフィールドが、それぞれが１つのアップリンクビーム情報を指示する複数のリソース指示情報を指示することと、
複数のＳＲＩシグナリングフィールドが複数のリソース指示情報を指示することと、
ここで、前記複数のＳＲＩシグナリングフィールドのうちの各ＳＲＩシグナリングフィールドは、それぞれが１つのアップリンクビーム情報を指示する少なくとも１つのリソース指示情報を指示し、
の少なくとも１つを含む、請求項２に記載のマルチビームによるアップリンクチャネルの送信のための方法。
【請求項４】
前記ＤＣＩを受信する前には、
ＰＵＳＣＨの空間関係情報Ｓｐａｔｉａｌ  Ｒｅｌａｔｉｏｎを設定するか、又はサウンディング参照信号ＳＲＳリソースのＳｐａｔｉａｌ  Ｒｅｌａｔｉｏｎを設定するための無線リソース制御ＲＲＣシグナリングを受信することをさらに含む、請求項３に記載のマルチビームによるアップリンクチャネルの送信のための方法。
【請求項５】
前記ＲＲＣシグナリングがＰＵＳＣＨのＳｐａｔｉａｌ  Ｒｅｌａｔｉｏｎを設定する方式は、
前記ＲＲＣシグナリングには、複数のリソース指示情報を含む１つの物理アップリンク共有チャネル空間関係情報ＰＵＳＣＨ−Ｓｐａｔｉａｌ  Ｒｅｌａｔｉｏｎ  Ｉｎｆｏが含まれることと、
前記ＲＲＣシグナリングには、それぞれが少なくとも１つのリソース指示情報を含む複数のＰＵＳＣＨ−Ｓｐａｔｉａｌ  Ｒｅｌａｔｉｏｎ  Ｉｎｆｏが含まれることと、
の少なくとも１つを含む、請求項４に記載のマルチビームによるアップリンクチャネルの送信のための方法。
【請求項６】
前記ＲＲＣシグナリングがＳＲＳリソースのＳｐａｔｉａｌ  Ｒｅｌａｔｉｏｎを設定する方式は、
前記ＲＲＣシグナリングが、各ＳＲＳリソースに、複数のリソース指示情報を含む１つのサウンディング参照信号空間関係情報ＳＲＳ−Ｓｐａｔｉａｌ  Ｒｅｌａｔｉｏｎ  Ｉｎｆｏを設定することと、
前記ＲＲＣシグナリングが、各ＳＲＳリソースに、それぞれが少なくとも１つのリソース指示情報を含む複数のＳＲＳ−Ｓｐａｔｉａｌ  Ｒｅｌａｔｉｏｎ  Ｉｎｆｏを設定することと、
の少なくとも１つを含む、請求項４に記載のマルチビームによるアップリンクチャネルの送信のための方法。
【請求項７】
前記アップリンクチャネルは、物理アップリンク制御チャネルＰＵＣＣＨであり、前記ＤＣＩには、少なくとも１つのシグナリングフィールドが含まれ、
前記ＤＣＩが前記設定情報を指示する方式は、
１つのシグナリングフィールドが、それぞれが１つのアップリンクビーム情報を指示する複数のリソース指示情報を指示する１つの物理アップリンク制御チャネル空間関係情報ＰＵＣＣＨ−Ｓｐａｔｉａｌ  Ｒｅｌａｔｉｏｎ  Ｉｎｆｏを指示することと、
少なくとも１つのシグナリングフィールドが、複数のＰＵＣＣＨ−Ｓｐａｔｉａｌ  Ｒｅｌａｔｉｏｎ  Ｉｎｆｏを指示することと、
ここで、前記複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む、請求項２に記載のマルチビームによるアップリンクチャネルの送信のための方法。
【請求項８】
前記アップリンクチャネルは、ＰＵＣＣＨであり、
設定情報を受信することは、
前記設定情報を指示するための上位層シグナリングを受信することを含み、
前記上位層シグナリングは、ＲＲＣシグナリングと、媒体アクセス制御層制御ユニットＭＡＣ  ＣＥシグナリングと、の少なくとも１つを含む、請求項１に記載のマルチビームによるアップリンクチャネルの送信のための方法。
【請求項９】
前記上位層シグナリングが前記設定情報を指示する方式は、
１つのＰＵＣＣＨ−Ｓｐａｔｉａｌ  Ｒｅｌａｔｉｏｎ  Ｉｎｆｏが、それぞれが１つのアップリンクビーム情報を指示する複数のリソース指示情報を指示することと、
複数のＰＵＣＣＨ−Ｓｐａｔｉａｌ  Ｒｅｌａｔｉｏｎ  Ｉｎｆｏが複数のリソース指示情報を指示することと、
ここで、前記複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む、請求項８に記載のマルチビームによるアップリンクチャネルの送信のための方法。
【請求項１０】
前記リソース指示情報は、
チャネル状態情報参照信号リソース指示ＣＲＩと、同期信号ブロックリソース指示ＳＳＢＲＩと、ＳＲＩと、の少なくとも１つを含む、請求項３、５、６、７、９のいずれか一項に記載のマルチビームによるアップリンクチャネルの送信のための方法。
【請求項１１】
前記複数のアップリンクビーム情報と前記アップリンクチャネルの関連パラメータとが有する前記関連付け関係の決定方式は、
プロトコルにより規定されることと、
ネットワーク側装置により設定されることと、
前記端末装置により決定されることと、
の少なくとも１つを含む、請求項１に記載のマルチビームによるアップリンクチャネルの送信のための方法。
【請求項１２】
前記関連付け関係は、
ａ、前記複数のアップリンクビーム情報が異なるアップリンクチャネルに関連付けられることと、
ｂ、前記複数のアップリンクビーム情報が同じアップリンクチャネルにおける異なる伝送ブロックＴＢに関連付けられることと、
ｃ、前記複数のアップリンクビーム情報が同じアップリンクチャネルに対応する異なる層又は異なるアンテナポートに関連付けられることと、
ｄ、前記複数のアップリンクビーム情報が同じアップリンクチャネルの異なる時間で伝送された部分に関連付けられることと、
ｅ、前記複数のアップリンクビーム情報が異なる物理リソースブロックバンドルＰＲＢ  ｂｕｎｄｌｅに関連付けられることと、
ｆ、前記複数のアップリンクビーム情報が同じＰＲＢ  ｂｕｎｄｌｅにおける異なる物理リソースブロックＰＲＢに関連付けられることと、
ｇ、前記複数のアップリンクビーム情報がアップリンクチャネルに対応する異なるリソース割り当てに関連付けられることと、
ｈ、前記複数のアップリンクビーム情報がアップリンクチャネルに対応する異なる変調符号化スキームＭＣＳに関連付けられることと、
ｉ、前記複数のアップリンクビーム情報がアップリンクチャネルに対応する異なる数値設定ｎｕｍｅｒｏｌｏｇｙに関連付けられることと、
ｊ、前記複数のアップリンクビーム情報がアップリンクチャネルに対応する異なるキャリア又は異なる帯域幅部分ＢＷＰに関連付けられることと、
ｋ、前記複数のアップリンクビーム情報がアップリンクチャネルの毎回の繰り返し伝送に関連付けられることと、
の少なくとも１つを含む、請求項１に記載のマルチビームによるアップリンクチャネルの送信のための方法。
【請求項１３】
前記アップリンクチャネルがＰＵＳＣＨである場合、前記関連付け関係は、ａ、ｂ、ｃ、ｄ、ｇ、ｈ、ｉ、ｊの少なくとも１つを含み、
前記アップリンクチャネルがＰＵＣＣＨである場合、前記関連付け関係は、ａ、ｃ、ｄ、ｅ、ｆ、ｇ、ｈ、ｉ、ｊ、ｋの少なくとも１つを含む、請求項１２に記載のマルチビームによるアップリンクチャネルの送信のための方法。
【請求項１４】
前記関連付け関係ａ、ｂ、ｃ、ｅ、ｆ、ｇ、ｈ、ｉ、ｊ、ｋのうちの１つ以上に基づいて、前記複数のアップリンクビーム情報を同時に使用してアップリンクチャネルを送信することをさらに含む、請求項１２に記載のマルチビームによるアップリンクチャネルの送信のための方法。
【請求項１５】
前記関連付け関係ａ、ｂ、ｃ、ｄ、ｅ、ｆ、ｇ、ｈ、ｉ、ｊ、ｋのうちの１つ以上に基づいて、予め設定されたビームの使用順序で前記複数のアップリンクビーム情報を使用してアップリンクチャネルを送信することをさらに含む、請求項１２に記載のマルチビームによるアップリンクチャネルの送信のための方法。
【請求項１６】
ビーム切り替えポイントを決定することをさらに含む、請求項１５に記載のマルチビームによるアップリンクチャネルの送信のための方法。
【請求項１７】
前記ビーム切り替えポイントを決定することは、
ネットワーク側装置による設定、又はプロトコルにより規定される周波数ホッピングポイントに基づいて、前記ビーム切り替えポイントを決定することを含む、請求項１６に記載のマルチビームによるアップリンクチャネルの送信のための方法。
【請求項１８】
前記ビーム切り替えポイントを決定することは、
ネットワーク側装置による設定又はプロトコルによる規定によって、少なくとも１つの前記ビーム切り替えポイントを決定することを含む、請求項１６に記載のマルチビームによるアップリンクチャネルの送信のための方法。
【請求項１９】
前記予め設定されたビームの使用順序の決定方式は、
ネットワーク側装置により設定されることと、
プロトコルにより規定されることと、
前記端末装置により決定されることと、
の少なくとも１つを含む、請求項１５に記載のマルチビームによるアップリンクチャネルの送信のための方法。
【請求項２０】
ネットワーク側装置に適用される、マルチビームによるアップリンクチャネルの送信のための方法であって、
アップリンクチャネル用の複数のアップリンクビーム情報を含む設定情報を送信することを含み、
ここで、前記複数のアップリンクビーム情報は、前記アップリンクチャネルの関連パラメータと関連付け関係を有する、マルチビームによるアップリンクチャネルの送信のための方法。
【請求項２１】
前記設定情報を送信することは、
前記設定情報を指示するためのＤＣＩを送信することを含む、請求項２０に記載のマルチビームによるアップリンクチャネルの送信のための方法。
【請求項２２】
前記アップリンクチャネルは、ＰＵＳＣＨであり、前記ＤＣＩには、少なくとも１つのＳＲＩシグナリングフィールドが含まれ、
前記ＤＣＩが前記設定情報を指示する方式は、
１つのＳＲＩシグナリングフィールドが、それぞれが１つのアップリンクビーム情報を指示する複数のリソース指示情報を指示することと、
複数のＳＲＩシグナリングフィールドが複数のリソース指示情報を指示することと、
ここで、前記複数のＳＲＩシグナリングフィールドのうちの各ＳＲＩシグナリングフィールドは、それぞれが１つのアップリンクビーム情報を指示する少なくとも１つのリソース指示情報を指示し、
の少なくとも１つを含む、請求項２１に記載のマルチビームによるアップリンクチャネルの送信のための方法。
【請求項２３】
前記ＤＣＩを送信する前には、
ＰＵＳＣＨのＳｐａｔｉａｌ  Ｒｅｌａｔｉｏｎを設定するか、又はＳＲＳリソースのＳｐａｔｉａｌ  Ｒｅｌａｔｉｏｎを設定するためのＲＲＣシグナリングを送信することをさらに含む、請求項２２に記載のマルチビームによるアップリンクチャネルの送信のための方法。
【請求項２４】
前記ＲＲＣシグナリングがＰＵＳＣＨのＳｐａｔｉａｌ  Ｒｅｌａｔｉｏｎを設定する方式は、
前記ＲＲＣシグナリングには、複数のリソース指示情報を含む１つのＰＵＳＣＨ−Ｓｐａｔｉａｌ  Ｒｅｌａｔｉｏｎ  Ｉｎｆｏが含まれることと、
前記ＲＲＣシグナリングには、それぞれが少なくとも１つのリソース指示情報を含む複数のＰＵＳＣＨ−Ｓｐａｔｉａｌ  Ｒｅｌａｔｉｏｎ  Ｉｎｆｏが含まれることと、
の少なくとも１つを含む、請求項２３に記載のマルチビームによるアップリンクチャネルの送信のための方法。
【請求項２５】
前記ＲＲＣシグナリングがＳＲＳリソースのＳｐａｔｉａｌ  Ｒｅｌａｔｉｏｎを設定する方式は、
前記ＲＲＣシグナリングが、各ＳＲＳリソースに、複数のリソース指示情報を含む１つのＳＲＳ−Ｓｐａｔｉａｌ  Ｒｅｌａｔｉｏｎ  Ｉｎｆｏを設定することと、
前記ＲＲＣシグナリングが、各ＳＲＳリソースに、それぞれが少なくとも１つのリソース指示情報を含む複数のＳＲＳ−Ｓｐａｔｉａｌ  Ｒｅｌａｔｉｏｎ  Ｉｎｆｏを設定することと、
の少なくとも１つを含む、請求項２３に記載のマルチビームによるアップリンクチャネルの送信のための方法。
【請求項２６】
前記アップリンクチャネルは、ＰＵＣＣＨであり、前記ＤＣＩには、少なくとも１つのシグナリングフィールドが含まれ、
前記ＤＣＩが前記設定情報を指示する方式は、
１つのシグナリングフィールドが、それぞれが１つのアップリンクビーム情報を指示する複数のリソース指示情報を指示する１つのＰＵＣＣＨ−Ｓｐａｔｉａｌ  Ｒｅｌａｔｉｏｎ  Ｉｎｆｏを指示することと、
少なくとも１つのシグナリングフィールドが、複数のＰＵＣＣＨ−Ｓｐａｔｉａｌ  Ｒｅｌａｔｉｏｎ  Ｉｎｆｏを指示することと、
ここで、前記複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む、請求項２１に記載のマルチビームによるアップリンクチャネルの送信のための方法。
【請求項２７】
前記アップリンクチャネルは、ＰＵＣＣＨであり、
設定情報を送信することは、
前記設定情報を指示するための上位層シグナリングを送信することを含み、
前記上位層シグナリングは、ＲＲＣシグナリングと、ＭＡＣ  ＣＥシグナリングと、の少なくとも１つを含む、請求項２０に記載のマルチビームによるアップリンクチャネルの送信のための方法。
【請求項２８】
前記上位層シグナリングが前記設定情報を指示する方式は、
１つのＰＵＣＣＨ−Ｓｐａｔｉａｌ  Ｒｅｌａｔｉｏｎ  Ｉｎｆｏが、それぞれが１つのアップリンクビーム情報を指示する複数のリソース指示情報を指示することと、
複数のＰＵＣＣＨ−Ｓｐａｔｉａｌ  Ｒｅｌａｔｉｏｎ  Ｉｎｆｏが複数のリソース指示情報を指示することと、
ここで、前記複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む、請求項２７に記載のマルチビームによるアップリンクチャネルの送信のための方法。
【請求項２９】
前記リソース指示情報は、
ＣＲＩと、ＳＳＢＲＩと、ＳＲＩと、の少なくとも１つを含む、請求項２２、２４、２５、２６、２８のいずれか一項に記載のマルチビームによるアップリンクチャネルの送信のための方法。
【請求項３０】
前記複数のアップリンクビーム情報と前記アップリンクチャネルの関連パラメータとが有する前記関連付け関係の決定方式は、
プロトコルにより規定されることと、
前記ネットワーク側装置により設定されることと、
端末装置により決定されることと、
の少なくとも１つを含む、請求項２０に記載のマルチビームによるアップリンクチャネルの送信のための方法。
【請求項３１】
前記関連付け関係は、
ａ、前記複数のアップリンクビーム情報が異なるアップリンクチャネルに関連付けられることと、
ｂ、前記複数のアップリンクビーム情報が同じアップリンクチャネルにおける異なるＴＢに関連付けられることと、
ｃ、前記複数のアップリンクビーム情報が同じアップリンクチャネルに対応する異なる層又は異なるアンテナポートに関連付けられることと、
ｄ、前記複数のアップリンクビーム情報が同じアップリンクチャネルの異なる時間で伝送された部分に関連付けられることと、
ｅ、前記複数のアップリンクビーム情報が異なるＰＲＢ  ｂｕｎｄｌｅに関連付けられることと、
ｆ、前記複数のアップリンクビーム情報が同じＰＲＢ  ｂｕｎｄｌｅにおける異なるＰＲＢに関連付けられることと、
ｇ、前記複数のアップリンクビーム情報がアップリンクチャネルに対応する異なるリソース割り当てに関連付けられることと、
ｈ、前記複数のアップリンクビーム情報がアップリンクチャネルに対応する異なるＭＣＳに関連付けられることと、
ｉ、前記複数のアップリンクビーム情報がアップリンクチャネルに対応する異なるｎｕｍｅｒｏｌｏｇｙに関連付けられることと、
ｊ、前記複数のアップリンクビーム情報がアップリンクチャネルに対応する異なるキャリア又は異なるＢＷＰに関連付けられることと、
ｋ、前記複数のアップリンクビーム情報がアップリンクチャネルの毎回の繰り返し伝送に関連付けられることと、
の少なくとも１つを含む、請求項２０に記載のマルチビームによるアップリンクチャネルの送信のための方法。
【請求項３２】
前記アップリンクチャネルがＰＵＳＣＨである場合、前記関連付け関係は、ａ、ｂ、ｃ、ｄ、ｇ、ｈ、ｉ、ｊの少なくとも１つを含み、
前記アップリンクチャネルがＰＵＣＣＨである場合、前記関連付け関係は、ａ、ｃ、ｄ、ｅ、ｆ、ｇ、ｈ、ｉ、ｊ、ｋの少なくとも１つを含む、請求項３１に記載のマルチビームによるアップリンクチャネルの送信のための方法。
【請求項３３】
前記関連付け関係ａ、ｂ、ｃ、ｅ、ｆ、ｇ、ｈ、ｉ、ｊ、ｋのうちの１つ以上に基づいて、前記複数のアップリンクビーム情報を同時に使用してアップリンクチャネルを受信することをさらに含む、請求項３１に記載のマルチビームによるアップリンクチャネルの送信のための方法。
【請求項３４】
前記関連付け関係ａ、ｂ、ｃ、ｄ、ｅ、ｆ、ｇ、ｈ、ｉ、ｊ、ｋのうちの１つ以上に基づいて、予め設定されたビームの使用順序で前記複数のアップリンクビーム情報を使用してアップリンクチャネルを受信することをさらに含む、請求項３１に記載のマルチビームによるアップリンクチャネルの送信のための方法。
【請求項３５】
ビーム切り替えポイントを決定することをさらに含む、請求項３４に記載のマルチビームによるアップリンクチャネルの送信のための方法。
【請求項３６】
前記ビーム切り替えポイントを決定することは、
前記ネットワーク側装置による設定、又はプロトコルにより規定される周波数ホッピングポイントに基づいて、前記ビーム切り替えポイントを決定することを含む、請求項３５に記載のマルチビームによるアップリンクチャネルの送信のための方法。
【請求項３７】
前記ビーム切り替えポイントを決定することは、
前記ネットワーク側装置による設定又はプロトコルによる規定によって、少なくとも１つの前記ビーム切り替えポイントを決定することを含む、請求項３５に記載のマルチビームによるアップリンクチャネルの送信のための方法。
【請求項３８】
前記予め設定されたビームの使用順序の決定方式は、
前記ネットワーク側装置により設定されることと、
プロトコルにより規定されることと、
端末装置により決定されることと、
の少なくとも１つを含む、請求項３４に記載のマルチビームによるアップリンクチャネルの送信のための方法。
【請求項３９】
アップリンクチャネル用の複数のアップリンクビーム情報を含む設定情報を受信するための受信モジュールを含み、
ここで、前記複数のアップリンクビーム情報は、前記アップリンクチャネルの関連パラメータと関連付け関係を有する、端末装置。
【請求項４０】
メモリと、プロセッサと、前記メモリに記憶され、前記プロセッサで実行可能なプログラムとを含む端末装置であって、
前記プログラムが前記プロセッサによって実行されると、請求項１〜１９のいずれか一項に記載のマルチビームによるアップリンクチャネルの送信のための方法が実現される、端末装置。
【請求項４１】
プログラムが記憶されているコンピュータ読み取り可能な記憶媒体であって、
前記プログラムがプロセッサによって実行されると、請求項１〜１９のいずれか一項に記載のマルチビームによるアップリンクチャネルの送信のための方法が実現される、コンピュータ読み取り可能な記憶媒体。
【請求項４２】
アップリンクチャネル用の複数のアップリンクビーム情報を含む設定情報を送信するための送信モジュールを含み、
ここで、前記複数のアップリンクビーム情報は、前記アップリンクチャネルの関連パラメータと関連付け関係を有する、ネットワーク側装置。
【請求項４３】
メモリと、プロセッサと、前記メモリに記憶され、前記プロセッサで実行可能なプログラムとを含むネットワーク側装置であって、
前記プログラムが前記プロセッサによって実行されると、請求項２０〜３８のいずれか一項に記載のマルチビームによるアップリンクチャネルの送信のための方法が実現される、ネットワーク側装置。
【請求項４４】
プログラムが記憶されているコンピュータ読み取り可能な記憶媒体であって、
前記プログラムがプロセッサによって実行されると、請求項２０〜３８のいずれか一項に記載のマルチビームによるアップリンクチャネルの送信のための方法が実現される、コンピュータ読み取り可能な記憶媒体。
【発明の詳細な説明】
【技術分野】
【０００１】
（関連出願の相互参照）
本願は、２０１８年７月２５日に提出された中国特許出願第２０１８１０８２９８５５．３号の優先権を主張するものであり、その全ての内容は参照により本願に取り込まれるものとする。
本開示は、通信の分野に関し、特に、マルチビームによるアップリンクチャネルの送信のための方法、端末装置及びネットワーク側装置に関する。
【背景技術】
【０００２】
第５世代（５−ｔｈ  Ｇｅｎｅｒａｔｉｏｎ、５Ｇ）移動通信システムの新たな無線技術（Ｎｅｗ  Ｒａｄｉｏ、ＮＲ）は、大規模アンテナ技術を導入し、マルチユーザ−マルチ入力マルチ出力（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、ＭＵ−ＭＩＭＯ）アンテナ技術をよりよくサポートすることができる。大規模アンテナアレイによる装置コスト及びベースバンド処理の複雑さを低減するために、デジタルアナログハイブリッドビームフォーミング技術により、送信信号とチャネルとの大まかなマッチングを実現する。
【０００３】
しかしながら、デジタル・アナログ・ハイブリッド・ビームフォーミング技術において、マルチビームに基づいてアップリンクチャネルを送信する手段が現在まだ不足していることにより、通信システムのアップリンク伝送効率が低いことをもたらす。
【発明の概要】
【発明が解決しようとする課題】
【０００４】
本開示の実施例は、関連技術におけるマルチビームに基づいてアップリンクチャネルを送信できないという課題を解決するために、マルチビームによるアップリンクチャネルの送信のための方法、端末装置及びネットワーク側装置を提供することを目的とする。
【課題を解決するための手段】
【０００５】
第１の態様では、本開示の実施例に係る、端末装置に適用される、マルチビームによるアップリンクチャネルの送信のための方法は、
アップリンクチャネル用の複数のアップリンクビーム情報を含む設定情報を受信することを含み、
ここで、前記複数のアップリンクビーム情報は、前記アップリンクチャネルの関連パラメータと関連付け関係を有する。
【０００６】
第２の態様では、本開示の実施例に係る、ネットワーク側装置に適用される、マルチビームによるアップリンクチャネルの送信のための方法は、
アップリンクチャネル用の複数のアップリンクビーム情報を含む設定情報を送信することを含み、
ここで、前記複数のアップリンクビーム情報は、前記アップリンクチャネルの関連パラメータと関連付け関係を有する
【０００７】
第３の態様では、本開示の実施例に係る端末装置は、
アップリンクチャネル用の複数のアップリンクビーム情報を含む設定情報を受信するための受信モジュールを含み、
ここで、前記複数のアップリンクビーム情報は、前記アップリンクチャネルの関連パラメータと関連付け関係を有する。
【０００８】
第４の態様では、本開示の実施例に係る端末装置は、
メモリと、プロセッサと、前記メモリに記憶され、前記プロセッサで実行可能なプログラムとを含み、
前記プログラムが前記プロセッサによって実行されると、第１の態様に記載のマルチビームによるアップリンクチャネルの送信のための方法が実現される。
【０００９】
第５の態様では、本開示の実施例に係る、プログラムが記憶されているコンピュータ読み取り可能な記憶媒体において、
前記プログラムがプロセッサによって実行されると、第１の態様に記載のマルチビームによるアップリンクチャネルの送信のための方法が実現される。
【００１０】
第６の態様では、本開示の実施例に係るネットワーク側装置は、
アップリンクチャネル用の複数のアップリンクビーム情報を含む設定情報を送信するための送信モジュールを含み、
ここで、前記複数のアップリンクビーム情報は、前記アップリンクチャネルの関連パラメータと関連付け関係を有する。
【００１１】
第７の態様では、本開示の実施例に係るネットワーク側装置は、
メモリと、プロセッサと、前記メモリに記憶され、前記プロセッサで実行可能なプログラムとを含み、
前記プログラムが前記プロセッサによって実行されると、第２の態様に記載のマルチビームによるアップリンクチャネルの送信のための方法が実現される。
【００１２】
第８の態様では、本開示の実施例に係る、プログラムが記憶されているコンピュータ読み取り可能な記憶媒体において、
前記プログラムがプロセッサによって実行されると、第２の態様に記載のマルチビームによるアップリンクチャネルの送信のための方法が実現される。
【００１３】
本開示の実施例では、設定情報によりアップリンクチャネルに複数のアップリンクビーム情報を設定し、複数のアップリンクビーム情報とアップリンクチャネルの関連パラメータとが関連付け関係を有することにより、端末装置は、該関連付け関係に基づいて、複数のアップリンクビーム情報を用いてアップリンクチャネルを送信できるため、通信システムのアップリンク伝送効率を効果的に向上させることができる。
【００１４】
ここで説明される図面は、本開示への理解を深めるためのものであり、本開示の一部を構成し、本開示の例示的な実施例及びその説明は、本開示を説明するためのものであり、本開示を限定するものではない。
【図面の簡単な説明】
【００１５】
【図１】本開示の実施例に係るネットワークアーキテクチャの概略図である。
【図２】本開示の実施例に係るマルチビームによるアップリンクチャネルの送信のための方法のフローチャートである。
【図３】本開示の実施例に係る別のマルチビームによるアップリンクチャネルの送信のための方法のフローチャートである。
【図４】本開示の実施例に係る端末装置の概略構成図である。
【図５】本開示の実施例に係るネットワーク側装置の概略構成図である。
【図６】本開示の実施例に係る別の端末装置の概略構成図である。
【図７】本開示の実施例に係る別のネットワーク側装置の概略構成図である。
【発明を実施するための形態】
【００１６】
以下、本開示の実施例における図面を参照しながら、本開示の実施例における技術手段を明確かつ完全的に説明する。明らかに、説明される実施例は、本開示の実施例の一部であり、全てではない。本開示の実施例に基づいて、当業者が創造的な労働をしない前提で得られる他の全ての実施例は、いずれも本開示の保護範囲に属するものである。
【００１７】
図１を参照すると、図１は、本開示の実施例に係るネットワークアーキテクチャの概略図である。図１に示すように、ユーザ端末１１と、基地局１２とを含み、ユーザ端末１１は、端末装置（ＵＥ、Ｕｓｅｒ  Ｅｑｕｉｐｍｅｎｔ）、例えば、携帯電話、タブレットコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（ＰＤＡ、ｐｅｒｓｏｎａｌ  ｄｉｇｉｔａｌ  ａｓｓｉｓｔａｎｔ）、モバイルインターネット装置（ＭＩＤ、Ｍｏｂｉｌｅ  Ｉｎｔｅｒｎｅｔ  Ｄｅｖｉｃｅ）又はウェアラブル装置（Ｗｅａｒａｂｌｅ  Ｄｅｖｉｃｅ）などの端末装置であってよく、なお、本開示の実施例では、ユーザ端末１１の具体的なタイプを限定しない。上記基地局１２は、５Ｇ及びそれより新しいバージョンの基地局（例えば、ｇＮＢ、５Ｇ  ＮＲ  ＮＢ）又は他の通信システムにおける基地局であってよく、又はノードＢと呼ばれ、なお、本開示の実施例では、５Ｇ基地局のみを例とするが、基地局１２の具体的なタイプを限定しない。
【００１８】
なお、上記ユーザ端末１１及び基地局１２の具体的な機能については、以下の複数の実施例により具体的に説明する。
【００１９】
図２は、本開示の実施例に係るマルチビームによるアップリンクチャネルの送信のための方法のフローチャートである。端末装置に適用される前記方法は、以下のようにしてもよい。
【００２０】
ステップ２１０では、アップリンクチャネル用の複数のアップリンクビーム情報を含む設定情報を受信し、ここで、複数のアップリンクビーム情報は、アップリンクチャネルの関連パラメータと関連付け関係を有する。
【００２１】
ネットワーク側装置は、端末装置にアップリンクチャネル用の複数のアップリンクビーム情報を設定する。
【００２２】
以下、ネットワーク側装置が物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）に複数のアップリンクビーム情報を設定することと、ネットワーク側装置が物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）に複数のアップリンクビーム情報を設定することと、という２つの態様についてそれぞれ詳細に説明する。
【００２３】
第１の態様では、ネットワーク側装置は、ＰＵＳＣＨに複数のアップリンクビーム情報を設定する。
【００２４】
本開示の実施例では、設定情報を受信することは、
設定情報を指示するためのダウンリンク制御情報（ＤＣＩ、Ｄｏｗｎｌｉｎｋ  Ｃｏｎｔｒｏｌ  Ｉｎｆｏｒｍａｔｉｏｎ）を受信することを含む。
【００２５】
ネットワーク側装置は、ＰＵＳＣＨをスケジューリングするＤＣＩにより、ＰＵＳＣＨに複数のアップリンクビーム情報を設定するための設定情報を端末装置に指示する。
【００２６】
具体的には、ＤＣＩには、少なくとも１つのサウンディング参照信号リソース指示（ＳＲＩ、Ｓｏｕｎｄｉｎｇ  Ｒｅｆｅｒｅｎｃｅ  Ｓｉｇｎａｌ  Ｒｅｓｏｕｒｃｅ  Ｉｎｄｉｃａｔｏｒ）シグナリングフィールドが含まれ、
ＤＣＩが設定情報を指示する方式は、
１つのＳＲＩシグナリングフィールドが、それぞれが１つのアップリンクビーム情報を指示する複数のリソース指示情報を指示することと、
複数のＳＲＩシグナリングフィールドが複数のリソース指示情報を指示することと、
ここで、複数のＳＲＩシグナリングフィールドのうちの各ＳＲＩシグナリングフィールドは、それぞれが１つのアップリンクビーム情報を指示する少なくとも１つのリソース指示情報を指示し、
の少なくとも１つを含む。
【００２７】
ここで、リソース指示情報は、
チャネル状態情報参照信号リソース指示（ＣＲＩ、Ｃｈａｎｎｅｌ  Ｓｔａｔｅ  Ｉｎｆｏｒｍａｔｉｏｎ  Ｒｅｓｏｕｒｃｅ  Ｉｎｄｉｃａｔｏｒ）と、同期信号ブロックリソース指示（ＳＳＢＲＩ、Ｓｙｎｃｈｒｏｎｉｚａｔｉｏｎ  Ｓｉｇｎａｌ  Ｂｌｏｃｋ  Ｒｅｓｏｕｒｃｅ  Ｉｎｄｉｃａｔｏｒ）と、ＳＲＩと、の少なくとも１つを含む。
【００２８】
１つの実施例では、ＤＣＩには、１つのＳＲＩシグナリングフィールドが含まれ、該ＳＲＩシグナリングフィールドのビット数に関わらず、ＤＣＩは、該ＳＲＩシグナリングフィールドを使用して、それぞれが１つのアップリンクビーム情報を指示する複数のリソース指示情報を指示する。
【００２９】
例えば、ネットワーク側装置がＰＵＳＣＨをスケジュールするＤＣＩ１には、１つのＳＲＩシグナリングフィールドが含まれ、該ＳＲＩシグナリングフィールドのビット数が３ビット（ｂｉｔ）である場合、該ＳＲＩシグナリングフィールドは、それぞれ８個のＳＲＩコードポイント（ｃｏｄｅｐｏｉｎｔ）に対応する８個のＳＲＩシグナリングフィールド値（０００〜１１１）を有することができる。ネットワーク側装置は、各ＳＲＩ  ｃｏｄｅｐｏｉｎｔに対応する複数のリソース指示情報、すなわち、ＳＲＩ  ｃｏｄｅｐｏｉｎｔ  ０００に対応する２つのリソース指示情報ＣＲＩ１及びＣＲＣ２、ＳＲＩ  ｃｏｄｅｐｏｉｎｔ  ００１に対応する２つのリソース指示情報ＣＲＩ３及びＳＳＢＲＩ２、などを予め決定する。
【００３０】
端末装置がＤＣＩ１を受信した後、ＤＣＩ１における該ＳＲＩシグナリングフィールドのＳＲＩ  ｃｏｄｅｐｏｉｎｔが００１であれば、端末装置は、ネットワーク側装置が、それぞれＣＲＩ３により指示されたアップリンクビーム情報及びＳＳＢＲＩ２により指示されたアップリンクビーム情報という２つのアップリンクビーム情報をＰＵＳＣＨに設定することを決定することができる。
【００３１】
別の実施例では、ＤＣＩには、複数の部分に分けられてもよい１つのＳＲＩシグナリングフィールドが含まれ、ＤＣＩは、該複数の部分のそれぞれを使用して、それぞれが１つのアップリンクビーム情報を指示する少なくとも１つのリソース指示情報を指示する。
【００３２】
例えば、ネットワーク側装置がＰＵＳＣＨをスケジュールするＤＣＩ２には、ビット数が９ｂｉｔである１つのＳＲＩシグナリングフィールドが含まれ、ネットワーク側装置は、該ＳＲＩシグナリングフィールドを、第１の部分が最初の３ビットであり、第２の部分が中間の３ビットであり、第３の部分が最後の３ビットである、という３つの部分に分ける。
【００３３】
該ＳＲＩシグナリングフィールドの３つの部分のそれぞれは、それぞれ８個のＳＲＩ  ｃｏｄｅｐｏｉｎｔに対応する８個のＳＲＩシグナリングフィールド値（０００〜１１１）を有することができる。該ＳＲＩシグナリングフィールドの３つの部分のＳＲＩシグナリングフィールド値は、共に該ＳＲＩシグナリングフィールドの、１つのＳＲＩ  ｃｏｄｅｐｏｉｎｔに対応する１つのＳＲＩシグナリングフィールドを構成する。
【００３４】
ネットワーク側装置は、該ＳＲＩシグナリングフィールドの３つの部分のうちの各部分の各ＳＲＩ  ｃｏｄｅｐｏｉｎｔに対応する複数のリソース指示情報を予め決定する。
【００３５】
該ＳＲＩシグナリングフィールドの第１の部分において、ＳＲＩ  ｃｏｄｅｐｏｉｎｔ  ０００が２つのリソース指示情報ＣＲＩ１及びＣＲＣ２に対応し、ＳＲＩ  ｃｏｄｅｐｏｉｎｔ  ００１が１つのリソース指示情報ＳＳＢＲＩ２に対応する、などであり、
該ＳＲＩシグナリングフィールドの第２の部分において、ＳＲＩ  ｃｏｄｅｐｏｉｎｔ  １００が２つのリソース指示情報ＣＲＩ３及びＣＲＩ４に対応し、ＳＲＩ  ｃｏｄｅｐｏｉｎｔ  １１１が２つのリソース指示情報ＳＳＢＲＩ１及びＳＳＢＲＩ３に対応する、などであり、
該ＳＲＩシグナリングフィールドの第３の部分において、ＳＲＩ  ｃｏｄｅｐｏｉｎｔ  １０１が２つのリソース指示情報ＳＲＩ１及びＳＲＩ２に対応し、ＳＲＩ  ｃｏｄｅｐｏｉｎｔ  １１０が２つのリソース指示情報ＳＲＩ３及びＳＲＩ４に対応する、などである。
【００３６】
端末装置がＤＣＩ２を受信した後、ＤＣＩ２における該ＳＲＩシグナリングフィールドのＳＲＩ  ｃｏｄｅｐｏｉｎｔが００１１１１１０１であれば、すなわち、該ＳＲＩシグナリングフィールドの第１の部分のＳＲＩ  ｃｏｄｅｐｏｉｎｔが００１で、第２の部分のＳＲＩ  ｃｏｄｅｐｏｉｎｔが１１１で、第３の部分のＳＲＩ  ｃｏｄｅｐｏｉｎｔが１０１であれば、
端末装置は、ネットワーク側装置が、ＳＳＢＲＩ２により指示されたアップリンクビーム情報、ＳＳＢＲＩ１により指示されたアップリンクビーム情報、ＳＳＢＲＩ３により指示されたアップリンクビーム情報、ＳＲＩ１により指示されたアップリンクビーム情報、及びＳＲＩ２により指示されたアップリンクビーム情報という５つのアップリンクビーム情報をＰＵＳＣＨに設定することを決定することができる。
【００３７】
別の実施例では、ＤＣＩには、複数のＳＲＩシグナリングフィールドが含まれ、ＤＣＩは、複数のＳＲＩシグナリングフィールドのうちの各ＳＲＩシグナリングフィールドを使用して、それぞれが１つのアップリンクビーム情報を指示する少なくとも１つのリソース指示情報をそれぞれ指示する。
【００３８】
例えば、ネットワーク側装置がＰＵＳＣＨをスケジュールするＤＣＩ３には、第１のＳＲＩシグナリングフィールド、第２のＳＲＩシグナリングフィールド及び第３の第１のＳＲＩシグナリングフィールドという３つのＳＲＩシグナリングフィールドが含まれる。各ＳＲＩシグナリングフィールドのビット数が３ｂｉｔである（すなわち、ＤＣＩ３には、９ｂｉｔのＳＲＩシグナリングフィールドが含まれる）場合、各ＳＲＩシグナリングフィールドは、それぞれ８個のＳＲＩ  ｃｏｄｅｐｏｉｎｔに対応する８個のＳＲＩシグナリングフィールド値（０００〜１１１）を有することができる。
【００３９】
ネットワーク側装置は、各ＳＲＩシグナリングフィールドにおける各ＳＲＩ  ｃｏｄｅｐｏｉｎｔに対応する少なくとも１つのリソース指示情報を予め決定する。
【００４０】
第１のＳＲＩシグナリングフィールドにおいて、ＳＲＩ  ｃｏｄｅｐｏｉｎｔ  ０００が２つのリソース指示情報ＣＲＩ１及びＣＲＣ２に対応し、ＳＲＩ  ｃｏｄｅｐｏｉｎｔ  ００１が１つのリソース指示情報ＳＲＩ２に対応する、などであり、
第２のＳＲＩシグナリングフィールドにおいて、ＳＲＩ  ｃｏｄｅｐｏｉｎｔ  １００が２つのリソース指示情報ＣＲＩ３及びＳＳＢＲＩ１に対応し、ＳＲＩ  ｃｏｄｅｐｏｉｎｔ１１１が２つのリソース指示情報ＳＲＩ１及びＳＳＢＲＩ２に対応する、などであり、
第３のＳＲＩシグナリングフィールドにおいて、ＳＲＩ  ｃｏｄｅｐｏｉｎｔ  １０１が１つのリソース指示情報ＳＲＩ３に対応し、ＳＲＩ  ｃｏｄｅｐｏｉｎｔ  １１０が２つのリソース指示情報ＣＲＩ４及びＳＳＢＲＩ３に対応する、などである。
【００４１】
端末装置がＤＣＩ３を受信した後、ＤＣＩ３における第１のＳＲＩシグナリングフィールドのＳＲＩ  ｃｏｄｅｐｏｉｎｔが０００で、第２のＳＲＩシグナリングフィールドのＳＲＩ  ｃｏｄｅｐｏｉｎｔが１１１で、第３のＳＲＩシグナリングフィールドのＳＲＩ  ｃｏｄｅｐｏｉｎｔが１０１であれば、端末装置は、ネットワーク側装置が、ＣＲＩ１により指示されたアップリンクビーム情報、ＣＲＩ２により指示されたアップリンクビーム情報、ＳＲＩ１により指示されたアップリンクビーム情報、ＳＳＢＲＩ２により指示されたアップリンクビーム情報、及びＳＲＩ３により指示されたアップリンクビーム情報という５つのアップリンクビーム情報をＰＵＳＣＨに設定することを決定することができる。
【００４２】
本開示の実施例では、ＤＣＩを受信する前には、
ＰＵＳＣＨの空間関係情報（Ｓｐａｔｉａｌ  Ｒｅｌａｔｉｏｎ）を設定するか、又はサウンディング参照信号（ＳＲＳ、Ｓｏｕｎｄｉｎｇ  Ｒｅｆｅｒｅｎｃｅ  Ｓｉｇｎａｌ）リソースのＳｐａｔｉａｌ  Ｒｅｌａｔｉｏｎを設定するための無線リソース制御（ＲＲＣ、Ｒａｄｉｏ  Ｒｅｓｏｕｒｃｅ  Ｃｏｎｔｒｏｌ）シグナリングを受信することをさらに含む。
【００４３】
ネットワーク側装置は、ＲＲＣシグナリングにより端末装置にＰＵＳＣＨのＳｐａｔｉａｌ  Ｒｅｌａｔｉｏｎを設定するか、又はＳＲＳリソースのＳｐａｔｉａｌ  Ｒｅｌａｔｉｏｎを設定し、さらに、ＰＵＳＣＨをスケジュールするＤＣＩにおいてＰＵＳＣＨに複数のアップリンクビーム情報を設定し、該ＤＣＩにおけるＰＵＳＣＨに設定された複数のアップリンクビーム情報は、ＲＲＣシグナリングによりＰＵＳＣＨに設定されたＳｐａｔｉａｌ  Ｒｅｌａｔｉｏｎに基づいて決定されるか、又はＲＲＣシグナリングによりＳＲＳリソースに設定されたＳｐａｔｉａｌ  Ｒｅｌａｔｉｏｎに基づいて決定されるものである。
【００４４】
本開示の実施例では、ＲＲＣシグナリングがＰＵＳＣＨのＳｐａｔｉａｌ  Ｒｅｌａｔｉｏｎを設定する方式は、
ＲＲＣシグナリングには、複数のリソース指示情報を含む１つの物理アップリンク共有チャネル空間関係情報（ＰＵＳＣＨ−Ｓｐａｔｉａｌ  Ｒｅｌａｔｉｏｎ  Ｉｎｆｏ）が含まれることと、
ＲＲＣシグナリングには、それぞれが少なくとも１つのリソース指示情報を含む複数のＰＵＳＣＨ−Ｓｐａｔｉａｌ  Ｒｅｌａｔｉｏｎ  Ｉｎｆｏが含まれることと、
の少なくとも１つを含む。
【００４５】
１つの実施例では、端末装置は、ネットワーク側装置から送信されたＲＲＣシグナリングを受信し、該ＲＲＣシグナリングには、３つのリソース指示情報ＣＲＩ１、ＳＲＩ２及びＳＳＢＲＩ２を含む１つのＰＵＳＣＨ−Ｓｐａｔｉａｌ  Ｒｅｌａｔｉｏｎ  Ｉｎｆｏが含まれる。
【００４６】
ネットワーク側装置は、ＰＵＳＣＨを後続にスケジュールするとき、ＰＵＳＣＨをスケジューリングするＤＣＩによって該ＰＵＳＣＨ‐Ｓｐａｔｉａｌ  Ｒｅｌａｔｉｏｎ  Ｉｎｆｏを指示することにより、ＣＲＩ１により指示されたアップリンクビーム情報、ＳＲＩ２により指示されたアップリンクビーム情報及びＳＳＢＲＩ２により指示されたアップリンクビーム情報という３つのアップリンクビーム情報をＰＵＳＣＨに設定することができる。
【００４７】
別の実施例では、端末装置は、ネットワーク側装置から送信されたＲＲＣシグナリングを受信し、該ＲＲＣシグナリングには、第１のＰＵＳＣＨ−Ｓｐａｔｉａｌ  Ｒｅｌａｔｉｏｎ  Ｉｎｆｏ及び第２のＰＵＳＣＨ−Ｓｐａｔｉａｌ  Ｒｅｌａｔｉｏｎ  Ｉｎｆｏという２つのＰＵＳＣＨ−Ｓｐａｔｉａｌ  Ｒｅｌａｔｉｏｎ  Ｉｎｆｏが含まれる。第１のＰＵＳＣＨ−Ｓｐａｔｉａｌ  Ｒｅｌａｔｉｏｎ  Ｉｎｆｏには、２つのリソース指示情報ＳＲＩ１及びＳＳＢＲＩ１が含まれ、第２のＰＵＳＣＨ−Ｓｐａｔｉａｌ  Ｒｅｌａｔｉｏｎ  Ｉｎｆｏには、３つのリソース指示情報ＣＲＩ１、ＳＲＩ２及びＳＳＢＲＩ２が含まれる。
【００４８】
ネットワーク側装置は、ＰＵＳＣＨを後続にスケジュールするとき、ＰＵＳＣＨをスケジューリングするＤＣＩによって第１のＰＵＳＣＨ−Ｓｐａｔｉａｌ  Ｒｅｌａｔｉｏｎ  Ｉｎｆｏ及び第２のＰＵＳＣＨ−Ｓｐａｔｉａｌ  Ｒｅｌａｔｉｏｎ  Ｉｎｆｏを指示することにより、ＳＲＩ１により指示されたアップリンクビーム情報、ＳＳＢＲＩ１により指示されたアップリンクビーム情報、ＣＲＩ１により指示されたアップリンクビーム情報、ＳＲＩ２により指示されたアップリンクビーム情報、及びＳＳＢＲＩ２により指示されたアップリンクビーム情報という５つのアップリンクビーム情報をＰＵＳＣＨに設定することができる。
【００４９】
本開示の実施例では、ＲＲＣシグナリングがＳＲＳリソースのＳｐａｔｉａｌ  Ｒｅｌａｔｉｏｎを設定する方式は、
ＲＲＣシグナリングが、各ＳＲＳリソースに、複数のリソース指示情報を含む１つのサウンディング参照信号空間関係情報（ＳＲＳ−Ｓｐａｔｉａｌ  Ｒｅｌａｔｉｏｎ  Ｉｎｆｏ）を設定することと、
ＲＲＣシグナリングが、各ＳＲＳリソースに、それぞれが少なくとも１つのリソース指示情報を含む複数のＳＲＳ−Ｓｐａｔｉａｌ  Ｒｅｌａｔｉｏｎ  Ｉｎｆｏを設定することと、
の少なくとも１つを含む。
【００５０】
１つの実施例では、ネットワーク側装置は、端末装置にＳＲＳリソースを設定する。端末装置は、ネットワーク側装置から送信されたＲＲＣシグナリングを受信し、該ＲＲＣシグナリングは、各ＳＲＳリソースに、複数のリソース指示情報を含む１つのＳＲＳ−Ｓｐａｔｉａｌ  Ｒｅｌａｔｉｏｎ  Ｉｎｆｏを設定する。
【００５１】
例えば、ネットワーク側装置は、ＲＲＣシグナリングにより、第１のＳＲＳリソースに、２つのリソース指示情報ＣＲＩ１及びＣＲＩ２を含む１つのＳＲＳ−Ｓｐａｔｉａｌ  Ｒｅｌａｔｉｏｎ  Ｉｎｆｏを設定する。
【００５２】
ネットワーク側装置は、ＰＵＳＣＨを後続にスケジュールするとき、ＰＵＳＣＨをスケジューリングするＤＣＩによって第１のＳＲＳリソースを指示することにより、ＲＲＣシグナリングにより第１のＳＲＳリソースに設定された該第１のＳＲＳリソースのＳＲＳ−Ｓｐａｔｉａｌ  Ｒｅｌａｔｉｏｎ  Ｉｎｆｏに基づいて、ネットワーク側装置がＣＲＩ１により指示されたアップリンクビーム情報及びＣＲＩ２により指示されたアップリンクビーム情報という２つのアップリンクビーム情報をＰＵＳＣＨに設定することを決定することができる。
【００５３】
別の実施例では、ネットワーク側装置は、端末装置にＳＲＳリソースを設定する。端末装置は、ネットワーク側装置から送信されたＲＲＣシグナリングを受信し、該ＲＲＣシグナリングは、各ＳＲＳリソースに、それぞれが少なくとも１つのリソース指示情報を含む少なくとも１つのＳＲＳ−Ｓｐａｔｉａｌ  Ｒｅｌａｔｉｏｎ  Ｉｎｆｏを設定する。
【００５４】
例えば、ネットワーク側装置は、ＲＲＣシグナリングにより、第１のＳＲＳリソースに、２つのリソース指示情報ＣＲＩ１及びＣＲＩ２を含む第１のＳＲＳ−Ｓｐａｔｉａｌ  Ｒｅｌａｔｉｏｎ  Ｉｎｆｏ、及び１つのリソース指示情報ＳＲＩ１を含む第２のＳＲＳ−Ｓｐａｔｉａｌ  Ｒｅｌａｔｉｏｎ  Ｉｎｆｏという２つのＳＲＳ−Ｓｐａｔｉａｌ  Ｒｅｌａｔｉｏｎ  Ｉｎｆｏを設定する。
【００５５】
該ＲＲＣシグナリングは、第２のＳＲＳリソースに、２つのリソース指示情報ＳＳＢＲＩ１及びＳＳＢＲＩ２を含む第３のＳＲＳ−Ｓｐａｔｉａｌ  Ｒｅｌａｔｉｏｎ  Ｉｎｆｏ、及び２つのリソース指示情報ＳＲＩ２及びＳＲＩ３を含む第４のＳＲＳ−Ｓｐａｔｉａｌ  Ｒｅｌａｔｉｏｎ  Ｉｎｆｏという２つのＳＲＳ−Ｓｐａｔｉａｌ  Ｒｅｌａｔｉｏｎ  Ｉｎｆｏを設定する。
【００５６】
ネットワーク側装置は、ＰＵＳＣＨを後続にスケジュールするとき、ＰＵＳＣＨをスケジューリングするＤＣＩによって第１のＳＲＳリソース及び第２のＳＲＳリソースを指示することにより、ＲＲＣシグナリングにより第１のＳＲＳリソースに設定された第１のＳＲＳ−Ｓｐａｔｉａｌ  Ｒｅｌａｔｉｏｎ  Ｉｎｆｏ及び第２のＳＲＳ−Ｓｐａｔｉａｌ  Ｒｅｌａｔｉｏｎ  Ｉｎｆｏに基づいて、また、ＲＲＣシグナリングにより第２のＳＲＳリソースに設定された第３のＳＲＳ−Ｓｐａｔｉａｌ  Ｒｅｌａｔｉｏｎ  Ｉｎｆｏ及び第４のＳＲＳ−Ｓｐａｔｉａｌ  Ｒｅｌａｔｉｏｎ  Ｉｎｆｏに基づいて、ネットワーク側装置がＣＲＩ１により指示されたアップリンクビーム情報、ＣＲＩ２により指示されたアップリンクビーム情報、ＳＲＩ１により指示されたアップリンクビーム情報、ＳＳＢＲＩ１により指示されたアップリンクビーム情報、ＳＳＢＲＩ２により指示されたアップリンクビーム情報、ＳＲＩ２により指示されたアップリンクビーム情報、及びＳＲＩ３により指示されたアップリンクビーム情報、という７つのアップリンクビーム情報をＰＵＳＣＨに設定することを決定することができる。
【００５７】
第２の態様では、ネットワーク側装置は、ＰＵＣＣＨに複数のアップリンクビーム情報を設定する。
【００５８】
ネットワーク側装置がＰＵＣＣＨに複数のアップリンクビーム情報を設定する方式は、以下の少なくとも２つの方式を含む。
【００５９】
第１の方式について、
本開示の実施例では、設定情報を受信することは、
設定情報を指示するためのＤＣＩを受信することを含む。
【００６０】
ネットワーク側装置は、ＤＣＩにより、ＰＵＣＣＨに複数のアップリンクビーム情報を設定するための設定情報を端末装置に指示する。
【００６１】
具体的には、ＤＣＩには、少なくとも１つのシグナリングフィールドが含まれ、
ＤＣＩが設定情報を指示する方式は、
１つのシグナリングフィールドが、それぞれが１つのアップリンクビーム情報を指示する複数のリソース指示情報を指示する１つの物理アップリンク制御チャネル空間関係情報（ＰＵＣＣＨ−Ｓｐａｔｉａｌ  Ｒｅｌａｔｉｏｎ  Ｉｎｆｏ）を指示することと、
少なくとも１つのシグナリングフィールドが複数のＰＵＣＣＨ−Ｓｐａｔｉａｌ  Ｒｅｌａｔｉｏｎ  Ｉｎｆｏを指示することと、
ここで、複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む。
【００６２】
ネットワーク側装置がＤＣＩによりＰＵＣＣＨに複数のアップリンクビーム情報を設定する。
【００６３】
１つの実施例では、ネットワーク側装置がＰＵＣＣＨに複数のアップリンクビーム情報を設定するＤＣＩには、１つのＳＲＩシグナリングフィールドが含まれ、該ＳＲＩシグナリングフィールドのビット数に関わらず、ＤＣＩは、該シグナリングフィールドを使用して１つのＰＵＣＣＨ−Ｓｐａｔｉａｌ  Ｒｅｌａｔｉｏｎ  Ｉｎｆｏを指示し、該ＰＵＣＣＨ−Ｓｐａｔｉａｌ  Ｒｅｌａｔｉｏｎ  Ｉｎｆｏは、それぞれが１つのアップリンクビーム情報を指示する複数のリソース指示情報を指示する。
【００６４】
例えば、ネットワーク側装置がＰＵＣＣＨに複数のアップリンクビーム情報を設定するＤＣＩ１には、１つのＳＲＩシグナリングフィールドが含まれ、該ＳＲＩシグナリングフィールドのビット数が３ｂｉｔである場合、該ＳＲＩシグナリングフィールドは、それぞれ８個のコードポイント（ｃｏｄｅｐｏｉｎｔ）に対応する８個のシグナリングフィールド値（０００〜１１１）を有することができる。ネットワーク側装置は、各ｃｏｄｅｐｏｉｎｔに対応する１つのＰＵＣＣＨ−Ｓｐａｔｉａｌ  Ｒｅｌａｔｉｏｎ  Ｉｎｆｏと、各ＰＵＣＣＨ−Ｓｐａｔｉａｌ  Ｒｅｌａｔｉｏｎ  Ｉｎｆｏにより指示された複数のリソース指示情報、すなわち、ｃｏｄｅｐｏｉｎｔ  ０００に対応する第１のＰＵＣＣＨ−Ｓｐａｔｉａｌ  Ｒｅｌａｔｉｏｎ  Ｉｎｆｏが指示する２つのリソース指示情報ＣＲＩ１及びＣＲＩ２、ｃｏｄｅｐｏｉｎｔ  ００１に対応する第２のＰＵＣＣＨ−Ｓｐａｔｉａｌ  Ｒｅｌａｔｉｏｎ  Ｉｎｆｏが２つのリソース指示情報ＳＳＢＲＩ１及びＳＲＩ１、などを予め決定する。
【００６５】
端末装置が該ＤＣＩ１を受信した後、ＤＣＩ１における該シグナリングフィールドのｃｏｄｅｐｏｉｎｔが００１であれば、端末装置は、ＤＣＩにより指示された第１のＰＵＣＣＨ−Ｓｐａｔｉａｌ  Ｒｅｌａｔｉｏｎ  Ｉｎｆｏに基づいて、ネットワーク側装置が、ＣＲＩ１により指示されたアップリンクビーム情報及びＣＲＩ２により指示されたアップリンクビーム情報という２つのアップリンクビーム情報をＰＵＣＣＨに設定することを決定することができる。
【００６６】
別の実施例では、ネットワーク側装置がＰＵＣＣＨに複数のアップリンクビーム情報を設定するＤＣＩには、複数のシグナリングフィールが含まれ、ＤＣＩは、複数のシグナリングフィールのうちの少なくとも１つのシグナリングフィールを使用して複数のＰＵＣＣＨ−Ｓｐａｔｉａｌ  Ｒｅｌａｔｉｏｎ  Ｉｎｆｏを指示し、複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示する。
【００６７】
例えば、ネットワーク側装置がＰＵＣＣＨに複数のアップリンクビーム情報を設定するＤＣＩ２には、１つのシグナリングフィールドが含まれ、該シグナリングフィールドのビット数が３ｂｉｔである場合、該シグナリングフィールドは、それぞれ８個のｃｏｄｅｐｏｉｎｔに対応する８個のシグナリングフィールド値（０００〜１１１）を有することができる。ネットワーク側装置は、各ｃｏｄｅｐｏｉｎｔに対応する複数のＰＵＣＣＨ−Ｓｐａｔｉａｌ  Ｒｅｌａｔｉｏｎ  Ｉｎｆｏと、各ＰＵＣＣＨ−Ｓｐａｔｉａｌ  Ｒｅｌａｔｉｏｎ  Ｉｎｆｏにより指示された複数のリソース指示情報、すなわち、ｃｏｄｅｐｏｉｎｔ  ０００に対応する第１のＰＵＣＣＨ−Ｓｐａｔｉａｌ  Ｒｅｌａｔｉｏｎ  Ｉｎｆｏが指示する１つのリソース指示情報ＣＲＩ１及び第２のＰＵＣＣＨ−Ｓｐａｔｉａｌ  Ｒｅｌａｔｉｏｎ  Ｉｎｆｏが指示する１つのリソース指示情報ＣＲＩ２、  ｃｏｄｅｐｏｉｎｔ  ００１に対応する第３のＰＵＣＣＨ−Ｓｐａｔｉａｌ  Ｒｅｌａｔｉｏｎ  Ｉｎｆｏが指示する２つのリソース指示情報ＳＳＢＲＩ１及びＳＲＩ１及び第４のＳＲＳ−Ｓｐａｔｉａｌ  Ｒｅｌａｔｉｏｎ  Ｉｎｆｏが指示する２つのリソース指示情報ＳＳＢＲＩ２及びＳＲＩ３などを予め決定する。
【００６８】
端末装置が該ＤＣＩ２を受信した後、ＤＣＩ２における該シグナリングフィールドのｃｏｄｅｐｏｉｎｔが００１であれば、端末装置は、ＤＣＩ２により指示された第３のＰＵＣＣＨ−Ｓｐａｔｉａｌ  Ｒｅｌａｔｉｏｎ  Ｉｎｆｏ及び第４のＰＵＣＣＨ−Ｓｐａｔｉａｌ  Ｒｅｌａｔｉｏｎ  Ｉｎｆｏに基づいて、ネットワーク側装置が、ＳＳＢＲＩ１により指示されたアップリンクビーム情報、ＳＲＩ１により指示されたアップリンクビーム情報、ＳＳＢＲＩ２により指示されたアップリンクビーム情報、及びＳＲＩ３により指示されたアップリンクビーム情報という４つのアップリンクビーム情報をＰＵＣＣＨに設定することを決定することができる。
【００６９】
例えば、ネットワーク側装置がＰＵＣＣＨに複数のアップリンクビーム情報を設定するＤＣＩ３には、第１のシグナリングフィールド及び第２のシグナリングフィールドという２つのシグナリングフィールドが含まれる。各シグナリングフィールドのビット数が３ｂｉｔである（すなわち、ＤＣＩ３には、６ｂｉｔのシグナリングフィールドが含まれる）場合、各シグナリングフィールドは、それぞれ８個のＳＲＩ  ｃｏｄｅｐｏｉｎｔに対応する８個のＳＲＩシグナリングフィールド値（０００〜１１１）を有することができる。
【００７０】
ネットワーク側装置は、各シグナリングフィールドにおける各ｃｏｄｅｐｏｉｎｔに対応する複数のＰＵＣＣＨ−Ｓｐａｔｉａｌ  Ｒｅｌａｔｉｏｎ  Ｉｎｆｏと、各シグナリングフィールドにおける各ｃｏｄｅｐｏｉｎｔに対応する複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏにより指示された複数のリソース指示情報と、を予め決定する。
【００７１】
第１のシグナリングフィールドにおいて、ｃｏｄｅｐｏｉｎｔ  ０００は、１つのリソース指示情報ＣＲＩ１を指示する第１のＰＵＣＣＨ−Ｓｐａｔｉａｌ  Ｒｅｌａｔｉｏｎ  Ｉｎｆｏと１つのリソース指示情報ＣＲＩ２を指示する第２のＰＵＣＣＨ−Ｓｐａｔｉａｌ  Ｒｅｌａｔｉｏｎ  Ｉｎｆｏという２つのＰＵＣＣＨ−Ｓｐａｔｉａｌ  Ｒｅｌａｔｉｏｎ  Ｉｎｆｏに対応し、ｃｏｄｅｐｏｉｎｔ  ００１は、２つのリソース指示情報ＳＳＢＲＩ１及びＳＲＩ１を指示する第３のＰＵＣＣＨ−Ｓｐａｔｉａｌ  Ｒｅｌａｔｉｏｎ  Ｉｎｆｏと１つのリソース指示情報ＳＳＢＲＩ２を指示する第４のＰＵＣＣＨ−Ｓｐａｔｉａｌ  Ｒｅｌａｔｉｏｎ  Ｉｎｆｏという２つのＰＵＣＣＨ−Ｓｐａｔｉａｌ  Ｒｅｌａｔｉｏｎ  Ｉｎｆｏに対応するなどである。
【００７２】
第２のシグナリングフィールドにおいて、ｃｏｄｅｐｏｉｎｔ  １００は、１つのリソース指示情報ＣＲＩ３を指示する第５のＰＵＣＣＨ−Ｓｐａｔｉａｌ  Ｒｅｌａｔｉｏｎ  Ｉｎｆｏと１つのリソース指示情報ＣＲＩ４を指示する第６のＰＵＣＣＨ−Ｓｐａｔｉａｌ  Ｒｅｌａｔｉｏｎ  Ｉｎｆｏという２つのＰＵＣＣＨ−Ｓｐａｔｉａｌ  Ｒｅｌａｔｉｏｎ  Ｉｎｆｏに対応し、ｃｏｄｅｐｏｉｎｔ  １１１は、２つのリソース指示情報ＳＳＢＲＩ３及びＳＲＩ２を指示する第７のＰＵＣＣＨ−Ｓｐａｔｉａｌ  Ｒｅｌａｔｉｏｎ  Ｉｎｆｏと１つのリソース指示情報ＳＲＩ３を指示する第８のＰＵＣＣＨ−Ｓｐａｔｉａｌ  Ｒｅｌａｔｉｏｎ  Ｉｎｆｏという２つのＰＵＣＣＨ−Ｓｐａｔｉａｌ  Ｒｅｌａｔｉｏｎ  Ｉｎｆｏに対応するなどである。
【００７３】
端末装置が該ＤＣＩ３を受信した後、ＤＣＩ３において第１のシグナリングフィールドのｃｏｄｅｐｏｉｎｔが０００であり、第２のシグナリングフィールドのｃｏｄｅｐｏｉｎｔが１１１である場合、端末装置は、ＤＣＩ３により指示された第１のＰＵＣＣＨ−Ｓｐａｔｉａｌ  Ｒｅｌａｔｉｏｎ  Ｉｎｆｏ、第２のＰＵＣＣＨ−Ｓｐａｔｉａｌ  Ｒｅｌａｔｉｏｎ  Ｉｎｆｏ、第７のＰＵＣＣＨ−Ｓｐａｔｉａｌ  Ｒｅｌａｔｉｏｎ  Ｉｎｆｏ及び第８のＰＵＣＣＨ−Ｓｐａｔｉａｌ  Ｒｅｌａｔｉｏｎ  Ｉｎｆｏに基づいて、ネットワーク側装置が、ＣＲＩ１により指示されたアップリンクビーム情報、ＣＲＩ２により指示されたアップリンクビーム情報、ＳＳＢＲＩ３により指示されたアップリンクビーム情報、ＳＲＩ２により指示されたアップリンクビーム情報、及びＳＲＩ３により指示されたアップリンクビーム情報という５つのアップリンクビーム情報をＰＵＣＣＨに設定することを決定することができる。
【００７４】
第２の方式について、
本開示の実施例では、設定情報を受信することは、
設定情報を指示するための上位層シグナリングを受信することを含み、
上位層シグナリングは、ＲＲＣシグナリングと、媒体アクセス制御層制御ユニット（ＭＡＣ  ＣＥ、Ｍｅｄｉｕｍ  Ａｃｃｅｓｓ  Ｃｏｎｔｒｏｌ  Ｃｏｎｔｒｏｌ  Ｅｌｅｍｅｎｔ）シグナリングと、の少なくとも１つを含む。
【００７５】
具体的には、上位層シグナリングが設定情報を指示する方式は、
１つのＰＵＣＣＨ−Ｓｐａｔｉａｌ  Ｒｅｌａｔｉｏｎ  Ｉｎｆｏが、それぞれが１つのアップリンクビーム情報を指示する複数のリソース指示情報を指示することと、
複数のＰＵＣＣＨ−Ｓｐａｔｉａｌ  Ｒｅｌａｔｉｏｎ  Ｉｎｆｏが、複数のリソース指示情報を指示することと、
ここで、複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む。
【００７６】
ネットワーク側装置は、上位層シグナリング（ＲＲＣシグナリング、ＭＡＣ  ＣＥシグナリング）によりＰＵＣＣＨに複数のアップリンクビーム情報を設定する。
【００７７】
１つの実施例では、端末装置は、ネットワーク側装置から送信されたＲＲＣシグナリングを受信し、該ＲＲＣシグナリングには、２つのリソース指示情報ＳＲＩ１及びＳＳＢＲＩ１を指示する１つのＰＵＣＣＨ−Ｓｐａｔｉａｌ  Ｒｅｌａｔｉｏｎ  Ｉｎｆｏが含まれる。したがって、端末装置は、ネットワーク側装置が、ＲＲＣシグナリングにより、ＳＲＩ１により指示されたアップリンクビーム情報及びＳＳＢＲＩ１により指示されたアップリンクビーム情報という２つのアップリンクビーム情報をＰＵＣＣＨに設定することを決定することができる。
【００７８】
別の実施例では、端末装置は、ネットワーク側装置から送信されたＲＲＣシグナリングを受信し、該ＲＲＣシグナリングには、第１のＰＵＣＣＨ−Ｓｐａｔｉａｌ  Ｒｅｌａｔｉｏｎ  Ｉｎｆｏ及び第２のＰＵＣＣＨ−Ｓｐａｔｉａｌ  Ｒｅｌａｔｉｏｎ  Ｉｎｆｏという２つのＰＵＣＣＨ−Ｓｐａｔｉａｌ  Ｒｅｌａｔｉｏｎ  Ｉｎｆｏが含まれる。第１のＰＵＣＣＨ−Ｓｐａｔｉａｌ  Ｒｅｌａｔｉｏｎ  Ｉｎｆｏが１つのリソース指示情報ＳＲＩ１を指示し、第２のＰＵＣＣＨ−Ｓｐａｔｉａｌ  Ｒｅｌａｔｉｏｎ  Ｉｎｆｏが３つのリソース指示情報ＣＲＩ１、ＳＲＩ２及びＳＳＢＲＩ２を指示する。したがって、端末装置は、ネットワーク側装置が、ＲＲＣシグナリングにより、ＳＲＩ１により指示されたアップリンクビーム情報、ＣＲＩ１により指示されたアップリンクビーム情報、ＳＲＩ２により指示されたアップリンクビーム情報及びＳＳＢＲＩ２により指示されたアップリンクビーム情報、という４つのアップリンクビーム情報をＰＵＣＣＨに設定することを決定することができる。
【００７９】
本開示の実施例では、複数のアップリンクビーム情報とアップリンクチャネルの関連パラメータとが有する関連付け関係の決定方式は、
プロトコルにより規定されることと、
ネットワーク側装置により設定されることと、
端末装置により決定されることと、
の少なくとも１つを含む。
【００８０】
ネットワーク側装置が端末装置にアップリンクチャネルの複数のアップリンクビーム情報を設定した後、端末装置は、複数のアップリンクビーム情報とアップリンクチャネルの関連パラメータとが有する関連付け関係を決定する。
【００８１】
なお、複数のアップリンクビーム情報とアップリンクチャネルの関連パラメータとが有する関連付け関係は、プロトコルにより規定されてもよく、ネットワーク側装置により設定されてもよく、端末装置により独立して決定されてもよく、他の方式により決定されてもよく、ここでは具体的には限定しない。
【００８２】
ここで、ネットワーク側装置は、上位層シグナリング（ＲＲＣシグナリング、ＭＡＣ  ＣＥシグナリング）により端末装置に該関連付け関係を設定又は指示してもよく、ＤＣＩにより端末装置に該関連付け関係を指示してもよい。
【００８３】
なお、関連付け関係を指示するＤＣＩと、アップリンクチャネルに複数のアップリンクビーム情報を設定するための設定情報を指示するＤＣＩとは、同じであってもよく、同じでなくてもよく、ここでは具体的に限定しない。
【００８４】
本開示の実施例では、関連付け関係は、
ａ、複数のアップリンクビーム情報が異なるアップリンクチャネルに関連付けられることと、
ｂ、複数のアップリンクビーム情報が同じアップリンクチャネルにおける異なる伝送ブロックＴＢ（ＴＢ、Ｔｒａｎｓｐｏｒｔ  Ｂｌｏｃｋ）に関連付けられることと、
ｃ、複数のアップリンクビーム情報が同じアップリンクチャネルに対応する異なる層（Ｌａｙｅｒ）又は異なるアンテナポート（Ａｎｔｅｎｎａ  Ｐｏｒｔ）に関連付けられることと、
ｄ、複数のアップリンクビーム情報が同じアップリンクチャネルの異なる時間で伝送した部分に関連付けられることと、
ｅ、複数のアップリンクビーム情報が異なる物理リソースブロックバンドル（ＰＲＢ  ｂｕｎｄｌｅ、Ｐｈｙｓｉｃａｌ  Ｒｅｓｏｕｒｃｅ  Ｂｌｏｃｋ  ｂｕｎｄｌｅ）に関連付けられることと、
ｆ、複数のアップリンクビーム情報が同じＰＲＢ  ｂｕｎｄｌｅにおける異なるＰＲＢに関連付けられることと、
ｇ、複数のアップリンクビーム情報がアップリンクチャネルに対応する異なるリソース割り当てに関連付けられることと、
ｈ、複数のアップリンクビーム情報がアップリンクチャネルに対応する異なる変調符号化スキーム（ＭＣＳ、Ｍｏｄｕｌａｔｉｏｎ  ａｎｄ  Ｃｏｄｉｎｇ  Ｓｃｈｅｍｅ）に関連付けられることと、
ｉ、複数のアップリンクビーム情報がアップリンクチャネルに対応する異なる数値設定ｎｕｍｅｒｏｌｏｇｙに関連付けられることと、
ｊ、複数のアップリンクビーム情報がアップリンクチャネルに対応する異なるキャリア（ｃａｒｒｉｅｒ）又は異なる帯域幅部分（ＢＷＰ、Ｂａｎｄｗｉｄｔｈ  Ｐａｒｔ）に関連付けられることと、
ｋ、複数のアップリンクビーム情報がアップリンクチャネルの毎回の繰り返し伝送に関連付けられることと、の少なくとも１つを含む。
【００８５】
なお、複数のアップリンクビーム情報とアップリンクチャネルの関連パラメータとが有する関連付け関係は、上記ａ〜ｋに加えて、他の関連付け関係を含んでもよく、ここでは具体的に限定しない。
【００８６】
以下、端末装置が複数のアップリンクビーム情報を使用してＰＵＳＣＨを送信することと、端末装置が複数のアップリンクビーム情報を使用してＰＵＣＣＨを送信することと、という２つの態様についてそれぞれ詳細に説明する。
【００８７】
第１の態様では、端末装置は、複数のアップリンクビーム情報を使用してＰＵＳＣＨを送信する。
【００８８】
本開示の実施例では、アップリンクチャネルがＰＵＳＣＨである場合、関連付け関係は、以下の少なくとも１つを含む。
【００８９】
ａ、複数のアップリンクビーム情報が同じＤＣＩによりスケジューリングされた異なるＰＵＳＣＨに関連付けられる。
【００９０】
端末装置は、関連付け関係に基づいて、同じＤＣＩによりスケジューリングされた異なるＰＵＳＣＨのうちの各ＰＵＳＣＨのためのアップリンクビーム情報を決定でき、さらに、端末装置は、複数のアップリンクビーム情報を使用して、同じＤＣＩによりスケジュールされた異なるＰＵＳＣＨを送信する。
【００９１】
ｂ、複数のアップリンクビーム情報が同じＰＵＳＣＨにおける異なるＴＢに関連付けられる。
【００９２】
端末装置は、関連付け関係に基づいて、同じＰＵＳＣＨにおける各ＴＢのためのアップリンクビーム情報を決定でき、さらに、端末装置は、複数のアップリンクビーム情報を使用して同じＰＵＳＣＨにおける異なるＴＢを送信する。
【００９３】
ｃ、複数のアップリンクビーム情報が同じＰＵＳＣＨに対応する異なる層又は異なるアンテナポートに関連付けられる。
【００９４】
端末装置は、関連付け関係に基づいて、同じＰＵＳＣＨにおける各層のためのアップリンクビーム情報を決定でき、さらに、端末装置は、複数のアップリンクビーム情報を使用して同じＰＵＳＣＨに対応する異なる層でＰＵＳＣＨを送信するか、あるいは、端末装置は、関連付け関係に基づいて、同じＰＵＳＣＨに対応する各アンテナポートのためのアップリンクビーム情報を決定でき、さらに、端末装置は、複数のアップリンクビーム情報を使用して同じＰＵＳＣＨに対応する異なるアンテナポートでＰＵＳＣＨを送信する。
【００９５】
ｄ、複数のアップリンクビーム情報が同じＰＵＳＣＨの異なる時間で伝送した部分に関連付けられる。
【００９６】
端末装置は、関連付け関係に基づいて、同じＰＵＳＣＨの異なる時間で伝送した部分のためのアップリンクビーム情報を決定でき、さらに、端末装置は、複数のアップリンクビーム情報を使用して同じＰＵＳＣＨの異なる時間で伝送した部分を送信する。
【００９７】
ｇ、複数のアップリンクビーム情報がＰＵＳＣＨに対応する異なるリソース割り当てに関連付けられる。
【００９８】
端末装置は、関連付け関係に基づいて、ＰＵＳＣＨに対応する異なるリソース割り当てのためのアップリンクビーム情報を決定でき、さらに、端末装置は、複数のアップリンクビーム情報を使用してＰＵＳＣＨに対応する異なるリソース割り当てでＰＵＳＣＨを送信する。
【００９９】
ｈ、複数のアップリンクビーム情報がＰＵＳＣＨに対応する異なるＭＣＳに関連付けられる。
【０１００】
端末装置は、関連付け関係に基づいて、ＰＵＳＣＨに対応する異なるＭＣＳのためのアップリンクビーム情報を決定でき、さらに、端末装置は、複数のアップリンクビーム情報を使用して、異なるＭＣＳによってＰＵＳＣＨを送信する。
【０１０１】
ｉ、複数のアップリンクビーム情報がＰＵＳＣＨに対応する異なるｎｕｍｅｒｏｌｏｇｙに関連付けられる。
【０１０２】
端末装置は、関連付け関係に基づいて、ＰＵＳＣＨに対応する異なるｎｕｍｅｒｏｌｏｇｙのためのアップリンクビーム情報を決定でき、さらに、端末装置は、複数のアップリンクビーム情報を使用して、異なるｎｕｍｅｒｏｌｏｇｙによってＰＵＳＣＨを送信する。
【０１０３】
ｊ、複数のアップリンクビーム情報がＰＵＳＣＨに対応する異なるキャリア又は異なるＢＷＰに関連付けられる。
【０１０４】
端末装置は、関連付け関係に基づいて、ＰＵＳＣＨに対応する異なるキャリアのためのアップリンクビーム情報を決定でき、さらに、端末装置は、複数のアップリンクビーム情報を使用して異なるキャリアでＰＵＳＣＨを送信するか、あるいは、端末装置は、関連付け関係に基づいて、ＰＵＳＣＨに対応する異なるＢＷＰのためのアップリンクビーム情報を決定でき、さらに、端末装置は、複数のアップリンクビーム情報を使用して異なるＢＷＰでＰＵＳＣＨを送信する。
【０１０５】
なお、上記関連付け関係ａ、ｂ、ｃ、ｄ、ｇ、ｈ、ｉ、ｊは、単独で使用してもよく、組み合わせで使用してもよく、ここでは具体的に限定しない。
【０１０６】
本開示の実施例では、
関連付け関係ａ、ｂ、ｃ、ｇ、ｈ、ｉ、ｊのうちの１つ以上に基づいて、複数のアップリンクビーム情報を同時に使用してＰＵＳＣＨを送信することをさらに含む。
【０１０７】
例えば、端末装置は、複数のアップリンクビーム情報を同時に使用して、異なるＰＵＳＣＨを送信し、同じＰＵＳＣＨにおける異なるＴＢを送信し、同じＰＵＳＣＨに対応する異なる層でＰＵＳＣＨを送信し、同じＰＵＳＣＨに対応する異なるアンテナポートでＰＵＳＣＨを送信し、ＰＵＳＣＨに対応する異なるリソース割り当てでＰＵＳＣＨを送信し、異なるＭＣＳによってＰＵＳＣＨを送信し、異なるｎｕｍｅｒｏｌｏｇｙによってＰＵＳＣＨを送信し、異なるキャリアでＰＵＳＣＨを送信し、異なるＢＷＰでＰＵＳＣＨを送信する。
【０１０８】
本開示の実施例では、
関連付け関係ａ、ｂ、ｃ、ｄ、ｇ、ｈ、ｉ、ｊのうちの１つ以上に基づいて、予め設定されたビームの使用順序に応じて、複数のアップリンクビーム情報を同時に使用してＰＵＳＣＨをさらに送信することを含む。
【０１０９】
例えば、端末装置は、予め設定されたビームの使用順序で、複数のアップリンクビーム情報を連続して使用し、異なるＰＵＳＣＨを送信し、同じＰＵＳＣＨにおける異なるＴＢを送信し、同じＰＵＳＣＨに対応する異なる層でＰＵＳＣＨを送信し、同じＰＵＳＣＨに対応する異なるアンテナポートでＰＵＳＣＨを送信し、同じＰＵＳＣＨの異なる時間で伝送した部分を送信し、ＰＵＳＣＨに対応する異なるリソース割り当てでＰＵＳＣＨを送信し、異なるＭＣＳによってＰＵＳＣＨを送信し、異なるｎｕｍｅｒｏｌｏｇｙによってＰＵＳＣＨを送信し、異なるキャリアでＰＵＳＣＨを送信し、異なるＢＷＰでＰＵＳＣＨを送信する。
【０１１０】
第２の態様では、端末装置は、複数のアップリンクビーム情報を使用してＰＵＣＣＨを送信する。
【０１１１】
本開示の実施例では、アップリンクチャネルがＰＵＣＣＨである場合、関連付け関係は、以下の少なくとも１つを含む。
【０１１２】
ａ、複数のアップリンクビーム情報が異なるＰＵＣＣＨに関連付けられる。
【０１１３】
端末装置は、関連付け関係に基づいて、異なるＰＵＣＣＨのうちの各ＰＵＣＣＨのためのアップリンクビーム情報を決定でき、さらに、端末装置は、複数のアップリンクビーム情報を使用して異なるＰＵＣＣＨを送信する。
【０１１４】
端末装置が複数のアップリンクビーム情報を使用して異なるＰＵＣＣＨを送信する場合、複数の異なるＰＵＣＣＨで同じアップリンク制御情報（ＵＣＩ、Ｕｐｌｉｎｋ  Ｃｏｎｔｒｏｌ  Ｉｎｆｏｒｍａｔｉｏｎ）を伝送することができる。
【０１１５】
ここで、プロトコルにより規定される方式又はネットワーク側装置により指示される方式で、どのＰＵＣＣＨで同じＵＣＩを伝送するかを決定することができる。
【０１１６】
ｃ、複数のアップリンクビーム情報が同じＰＵＣＣＨに対応する異なる層又は異なるアンテナポートに関連付けられる。
【０１１７】
端末装置は、関連付け関係に基づいて、同じＰＵＣＣＨに対応する各層のためのアップリンクビーム情報を決定でき、さらに、端末装置は、複数のアップリンクビーム情報を使用して同じＰＵＣＣＨに対応する異なる層にＰＵＣＣＨを送信するか、あるいは、端末装置は、関連付け関係に基づいて、同じＰＵＣＣＨに対応する各アンテナポートのためのアップリンクビーム情報を決定でき、さらに、端末装置は、複数のアップリンクビーム情報を使用して同じＰＵＣＣＨに対応する異なるアンテナポートにＰＵＣＣＨを送信する。
【０１１８】
ｄ、複数のアップリンクビーム情報が同じＰＵＣＣＨの異なる時間で伝送した部分に関連付けられる。
【０１１９】
端末装置は、関連付け関係に基づいて、同じＰＵＣＣＨの異なる時間で伝送した部分のためのアップリンクビーム情報を決定でき、さらに、端末装置は、複数のアップリンクビーム情報を使用して同じＰＵＣＣＨの異なる時間で伝送した部分を送信する。
【０１２０】
ｅ、複数のアップリンクビーム情報が異なるＰＲＢ  ｂｕｎｄｌｅに関連付けられる。
【０１２１】
実際の応用において、ＰＵＣＣＨに定義されたＰＲＢ  ｂｕｎｄｌｅ  ｓｉｚｅに基づいて、ＰＵＣＣＨにおける全てのＰＲＢを異なるＰＲＢ  ｂｕｎｄｌｅに分割し、さらに、ＰＲＢ  ｂｕｎｄｌｅに基づいてＰＵＣＣＨを送信する。
【０１２２】
端末装置は、関連付け関係に基づいて、異なるＰＲＢ  ｂｕｎｄｌｅのためのアップリンクビーム情報を決定でき、さらに、端末装置は、複数のアップリンクビーム情報を使用して異なるＰＲＢ  ｂｕｎｄｌｅを送信する。
【０１２３】
ｆ、複数のアップリンクビーム情報が同じＰＲＢ  ｂｕｎｄｌｅにおける異なるＰＲＢに関連付けられる。
【０１２４】
端末装置は、関連付け関係に基づいて、同じＰＲＢ  ｂｕｎｄｌｅにおける異なるＰＲＢのためのアップリンクビーム情報を決定でき、さらに、端末装置は、複数のアップリンクビーム情報を使用して、同じＰＲＢ  ｂｕｎｄｌｅにおける異なるＰＲＢを送信する。
【０１２５】
ｇ、複数のアップリンクビーム情報がＰＵＣＣＨに対応する異なるリソース割り当てに関連付けられる。
【０１２６】
端末装置は、関連付け関係に基づいて、ＰＵＣＣＨに対応する異なるリソース割り当てのためのアップリンクビーム情報を決定でき、さらに、端末装置は、複数のアップリンクビーム情報を使用してＰＵＣＣＨに対応する異なるリソース割り当てでＰＵＣＣＨを送信する。
【０１２７】
ｈ、複数のアップリンクビーム情報がＰＵＣＣＨに対応する異なるＭＣＳに関連付けられる。
【０１２８】
端末装置は、関連付け関係に基づいて、ＰＵＣＣＨに対応する異なるＭＣＳのためのアップリンクビーム情報を決定でき、さらに、端末装置は、複数のアップリンクビーム情報を使用して、異なるＭＣＳによってＰＵＣＣＨを送信する。
【０１２９】
ｉ、複数のアップリンクビーム情報がＰＵＣＣＨに対応する異なるｎｕｍｅｒｏｌｏｇｙに関連付けられる。
【０１３０】
端末装置は、関連付け関係に基づいて、ＰＵＣＣＨに対応する異なるｎｕｍｅｒｏｌｏｇｙのためのアップリンクビーム情報を決定でき、さらに、端末装置は、複数のアップリンクビーム情報を使用して、異なるｎｕｍｅｒｏｌｏｇｙによってＰＵＣＣＨを送信する。
【０１３１】
ｊ、複数のアップリンクビーム情報がＰＵＣＣＨに対応する異なるキャリア又は異なるＢＷＰに関連付けられる。
【０１３２】
端末装置は、関連付け関係に基づいて、ＰＵＣＣＨに対応する異なるキャリアのためのアップリンクビーム情報を決定でき、さらに、端末装置は、複数のアップリンクビーム情報を使用して異なるキャリアでＰＵＣＣＨを送信するか、あるいは、端末装置は、関連付け関係に基づいて、ＰＵＣＣＨに対応する異なるＢＷＰのためのアップリンクビーム情報を決定でき、さらに、端末装置は、複数のアップリンクビーム情報を使用して異なるＢＷＰでＰＵＣＣＨを送信する。
【０１３３】
ｋ、複数のアップリンクビーム情報がＰＵＣＣＨの毎回の繰り返し伝送に関連付けられる。
【０１３４】
端末装置は、関連付け関係に基づいて、ＰＵＣＣＨの毎回の繰り返し伝送のためのアップリンクビーム情報を決定でき、さらに、端末装置は、ＰＵＣＣＨの毎回の繰り返し伝送時に、異なるアップリンクビーム情報を使用する。
【０１３５】
なお、上記関連付け関係ａ、ｃ、ｄ、ｅ、ｆ、ｇ、ｈ、ｉ、ｊ、ｋは、単独で使用してもよく、組み合わせで使用してもよく、ここでは具体的に限定しない。
【０１３６】
本開示の実施例では、
関連付け関係ａ、ｃ、ｅ、ｆ、ｇ、ｈ、ｉ、ｊ、ｋのうちの１つ以上に基づいて、複数のアップリンクビーム情報を同時に使用してＰＵＣＣＨを送信することをさらに含む。
【０１３７】
例えば、端末装置は、複数のアップリンクビーム情報を同時に使用して異なるPUCCHを送信し、同じＰＵＣＣＨに対応する異なる層でＰＵＣＣＨを送信し、同じＰＵＣＣＨに対応する異なるアンテナポートでＰＵＣＣＨを送信し、異なるＰＲＢ  ｂｕｎｄｌｅを送信し、同じＰＲＢ  ｂｕｎｄｌｅにおける異なるＰＲＢを送信し、ＰＵＣＣＨに対応する異なるリソース割り当てでＰＵＣＣＨを送信し、異なるＭＣＳによってＰＵＣＣＨを送信し、異なるｎｕｍｅｒｏｌｏｇｙによってＰＵＣＣＨを送信し、異なるキャリアでＰＵＣＣＨを送信し、異なるＢＷＰでＰＵＣＣＨを送信し、ＰＵＣＣＨの毎回の繰り返し伝送を送信する。
【０１３８】
本開示の実施例では、
関連付け関係ａ、ｃ、ｄ、ｅ、ｆ、ｇ、ｈ、ｉ、ｊ、ｋのうちの１つ以上に基づいて、予め設定されたビームの使用順序で、複数のアップリンクビーム情報を使用してＰＵＣＣＨを送信することをさらに含む。
【０１３９】
例えば、端末装置は、予め設定されたビームの使用順序で、複数のアップリンクビーム情報を連続して使用し、異なるＰＵＣＣＨを送信し、同じＰＵＣＣＨに対応する異なる層でＰＵＣＣＨを送信し、同じＰＵＣＣＨに対応する異なるアンテナポートでＰＵＣＣＨを送信し、同じＰＵＣＣＨの異なる時間で伝送された部分を送信し、異なるＰＲＢ  ｂｕｎｄｌｅを送信し、同じＰＲＢ  ｂｕｎｄｌｅにおける異なるＰＲＢを送信し、ＰＵＣＣＨに対応する異なるリソース割り当てでＰＵＣＣＨを送信し、異なるＭＣＳによってＰＵＣＣＨを送信し、異なるｎｕｍｅｒｏｌｏｇｙによってＰＵＣＣＨを送信し、異なるキャリアでＰＵＣＣＨを送信し、異なるＢＷＰでＰＵＣＣＨを送信し、ＰＵＣＣＨの毎回の繰り返し伝送を送信する。
【０１４０】
本開示の実施例では、
ビーム切り替えポイントを決定することをさらに含む。
【０１４１】
端末装置は、複数のアップリンクビーム情報を使用して、同じＰＵＳＣＨが異なる時間で伝送された部分又は同じＰＵＣＣＨが異なる時間で伝送された部分を送信するか、又は関連付け関係のうちの１つ以上に基づいて、予め設定されたビームの使用順序で、複数のアップリンクビーム情報を使用してＰＵＳＣＨ又はＰＵＣＣＨを送信する場合、端末装置は、まず、ビーム切り替えポイントを決定し、さらに、ビーム切り替えポイントの前後で異なるアップリンクビーム情報を使用してＰＵＳＣＨ又はＰＵＣＣＨを送信する必要がある。
【０１４２】
本開示の実施例では、上記ビーム切り替えポイントを決定する方式は、以下の２つの方式の少なくとも１つを含む。
【０１４３】
第１の方式について、
ネットワーク側装置による設定、又はプロトコルにより規定される周波数ホッピングポイントに基づいて、ビーム切り替えポイントを決定する。
【０１４４】
実際の応用において、ネットワーク側装置は、ＲＲＣシグナリングにより、端末装置に周波数ホッピングを設定するか、又は、プロトコルにより周波数ホッピング情報を規定する。
【０１４５】
端末装置は、周波数ホッピング情報における周波数ホッピングポイントをビーム切り替えポイントとして決定し、すなわち、周波数ホッピングポイントの前後で、異なるアップリンクビーム情報を使用してＰＵＳＣＨ又はＰＵＣＣＨを送信することができる。
【０１４６】
第２の方式について、
ネットワーク側装置による設定又はプロトコルによる規定によって、少なくとも１つのビーム切り替えポイントを決定する。
【０１４７】
ネットワーク側装置は、上位層シグナリング又はＤＣＩにより、端末装置に少なくとも１つのビーム切り替えポイントを設定するか、又はネットワーク側装置と端末装置が少なくとも１つのビーム切り替えポイントを予め約定するか、又はプロトコルにより少なくとも１つのビーム切り替えポイントを規定することができる。
【０１４８】
端末装置は、該少なくとも１つのビーム切り替えポイントを決定し、さらに、ビーム切り替えポイントの前後で異なるアップリンクビーム情報を使用して、ＰＵＳＣＨ又はＰＵＣＣＨを送信する。
【０１４９】
本開示の実施例では、予め設定されたビームの使用順序の決定方式は、
ネットワーク側装置により設定されることと、
プロトコルにより規定されることと、
端末装置により決定されることと、
の少なくとも１つを含む。
【０１５０】
ネットワーク側装置は、上位層シグナリング又はＤＣＩにより、端末装置に複数のアップリンクビーム情報の予め設定されたビームの使用順序を指示するか、又はプロトコルにより複数のアップリンクビーム情報の予め設定されたビームの使用順序を規定するか、又は端末装置が自身の伝送能力に応じて、複数のアップリンクビーム情報の予め設定されたビームの使用順序を独立して決定し、さらに、端末装置は、予め設定されたビームの使用順序で、複数のアップリンクビーム情報を連続して使用し、ＰＵＳＣＨ又はＰＵＣＣＨを送信する。
【０１５１】
本開示の実施例に記載された技術手段は、設定情報によりアップリンクチャネルに複数のアップリンクビーム情報を設定し、複数のアップリンクビーム情報とアップリンクチャネルの関連パラメータとが関連付け関係を有することにより、端末装置は、該関連付け関係に基づいて、複数のアップリンクビーム情報を用いてアップリンクチャネルを送信できるため、通信システムのアップリンク伝送効率を効果的に向上させることができる。
【０１５２】
図３は、本開示の実施例に係る別のマルチビームによるアップリンクチャネルの送信のための方法のフローチャートである。ネットワーク側装置に適用される前記方法は、以下のようにしてもよい。
【０１５３】
ステップ３１０では、アップリンクチャネル用の複数のアップリンクビーム情報を含む設定情報を送信し、ここで、複数のアップリンクビーム情報は、アップリンクチャネルの関連パラメータと関連付け関係を有する。
【０１５４】
ネットワーク側装置は、端末装置にアップリンクチャネルの複数のアップリンクビーム情報を設定する。
【０１５５】
以下、ネットワーク側装置がＰＵＳＣＨに複数のアップリンクビーム情報を設定することと、ネットワーク側装置がＰＵＣＣＨに複数のアップリンクビーム情報を設定することと、という２つの態様についてそれぞれ詳細に説明する。
【０１５６】
第１の態様では、ネットワーク側装置は、ＰＵＳＣＨに複数のアップリンクビーム情報を設定する。
【０１５７】
本開示の実施例では、設定情報を受信することは、
設定情報を指示するためのＤＣＩを受信することを含む。
【０１５８】
ネットワーク側装置は、ＰＵＳＣＨをスケジューリングするＤＣＩにより、ＰＵＳＣＨに複数のアップリンクビーム情報を設定するための設定情報を端末装置に指示する。
【０１５９】
具体的には、ＤＣＩには、少なくとも１つのＳＲＩシグナリングフィールドが含まれ、
ＤＣＩが設定情報を指示する方式は、
１つのＳＲＩシグナリングフィールドが、それぞれが１つのアップリンクビーム情報を指示する複数のリソース指示情報を指示することと、
複数のＳＲＩシグナリングフィールドが複数のリソース指示情報を指示することと、
ここで、複数のＳＲＩシグナリングフィールドのうちの各ＳＲＩシグナリングフィールドは、それぞれが１つのアップリンクビーム情報を指示する少なくとも１つのリソース指示情報を指示し、
の少なくとも１つを含む。
【０１６０】
ここで、リソース指示情報は、
ＣＲＩと、ＳＳＢＲＩと、ＳＲＩと、の少なくとも１つを含む。
【０１６１】
１つの実施例では、ＤＣＩには、１つのＳＲＩシグナリングフィールドが含まれ、該ＳＲＩシグナリングフィールドのビット数に関わらず、ＤＣＩは、該ＳＲＩシグナリングフィールドを使用して、それぞれが１つのアップリンクビーム情報を指示する複数のリソース指示情報を指示する。
【０１６２】
別の実施例では、ＤＣＩには、複数のＳＲＩシグナリングフィールドが含まれ、ＤＣＩは、複数のＳＲＩシグナリングフィールドのうちの各ＳＲＩシグナリングフィールドを使用して、それぞれが１つのアップリンクビーム情報を指示する少なくとも１つのリソース指示情報をそれぞれ指示する。
【０１６３】
本開示の実施例では、ＤＣＩを受信する前には、
ＰＵＳＣＨのＳｐａｔｉａｌ  Ｒｅｌａｔｉｏｎを設定するか、又はＳＲＳリソースのＳｐａｔｉａｌ  Ｒｅｌａｔｉｏｎを設定するためのＲＲＣシグナリングを送信することをさらに含む。
【０１６４】
ネットワーク側装置は、ＲＲＣシグナリングにより端末装置にＰＵＳＣＨのＳｐａｔｉａｌ  Ｒｅｌａｔｉｏｎを設定するか、又はＳＲＳリソースのＳｐａｔｉａｌ  Ｒｅｌａｔｉｏｎを設定し、さらに、ＰＵＳＣＨをスケジュールするＤＣＩにおいてＰＵＳＣＨに複数のアップリンクビーム情報を設定し、該ＤＣＩにおけるＰＵＳＣＨに設定された複数のアップリンクビーム情報は、ＲＲＣシグナリングによりＰＵＳＣＨに設定されたＳｐａｔｉａｌ  Ｒｅｌａｔｉｏｎに基づいて決定されるか、又はＲＲＣシグナリングによりＳＲＳリソースに設定されたＳｐａｔｉａｌ  Ｒｅｌａｔｉｏｎに基づいて決定されるものである。
【０１６５】
本開示の実施例では、ＲＲＣシグナリングがＰＵＳＣＨのＳｐａｔｉａｌ  Ｒｅｌａｔｉｏｎを設定する方式は、
ＲＲＣシグナリングには、複数のリソース指示情報を含む１つのＰＵＳＣＨ−Ｓｐａｔｉａｌ  Ｒｅｌａｔｉｏｎ  Ｉｎｆｏが含まれることと、
ＲＲＣシグナリングには、それぞれが少なくとも１つのリソース指示情報を含む複数のＰＵＳＣＨ−Ｓｐａｔｉａｌ  Ｒｅｌａｔｉｏｎ  Ｉｎｆｏが含まれることと、
の少なくとも１つを含む。
【０１６６】
ここで、ネットワーク側装置がＲＲＣシグナリングによりＰＵＳＣＨのＳｐａｔｉａｌ  Ｒｅｌａｔｉｏｎを設定する具体的なプロセスは、上記図２に示す実施例における関連部分と同じである。
【０１６７】
本開示の実施例では、ＲＲＣシグナリングがＳＲＳリソースのＳｐａｔｉａｌ  Ｒｅｌａｔｉｏｎを設定する方式は、
ＲＲＣシグナリングが、各ＳＲＳリソースに、複数のリソース指示情報を含む１つのＳＲＳ−Ｓｐａｔｉａｌ  Ｒｅｌａｔｉｏｎ  Ｉｎｆｏを設定することと、
ＲＲＣシグナリングが、各ＳＲＳリソースに、それぞれが少なくとも１つのリソース指示情報を含む複数のＳＲＳ−Ｓｐａｔｉａｌ  Ｒｅｌａｔｉｏｎ  Ｉｎｆｏを設定することと、
の少なくとも１つを含む。
【０１６８】
ここで、ネットワーク側装置がＲＲＣシグナリングによりＳＲＳリソースのＳｐａｔｉａｌ  Ｒｅｌａｔｉｏｎを設定する具体的なプロセスは、上記図２に示す実施例における関連部分と同じである。
【０１６９】
第２の態様では、ネットワーク側装置は、ＰＵＣＣＨに複数のアップリンクビーム情報を設定する。
【０１７０】
ネットワーク側装置がＰＵＣＣＨに複数のアップリンクビーム情報を設定する方式は、以下の少なくとも２つの方式を含む。
【０１７１】
第１の方式について、
本開示の実施例では、設定情報を受信することは、
設定情報を指示するためのＤＣＩを受信することを含む。
【０１７２】
ネットワーク側装置は、ＤＣＩにより、ＰＵＣＣＨに複数のアップリンクビーム情報を設定するための設定情報を端末装置に指示する。
【０１７３】
具体的には、ＤＣＩには、少なくとも１つのシグナリングフィールドが含まれ、
ＤＣＩが設定情報を指示する方式は、
１つのシグナリングフィールドが、それぞれが１つのアップリンクビーム情報を指示する複数のリソース指示情報を指示する１つのＰＵＣＣＨ−Ｓｐａｔｉａｌ  Ｒｅｌａｔｉｏｎ  Ｉｎｆｏを指示することと、
少なくとも１つのシグナリングフィールドが複数のＰＵＣＣＨ−Ｓｐａｔｉａｌ  Ｒｅｌａｔｉｏｎ  Ｉｎｆｏを指示することと、
ここで、複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む。
【０１７４】
ネットワーク側装置は、ＤＣＩによりＰＵＣＣＨに複数のアップリンクビーム情報を設定する。
【０１７５】
ここで、ネットワーク側装置がＤＣＩによりＰＵＣＣＨに複数のアップリンクビーム情報を設定する具体的なプロセスは、上記図２に示す実施例における関連部分と同じである。
【０１７６】
第２の方式について、
本開示の実施例では、設定情報を受信することは、
設定情報を指示するための上位層シグナリングを送信することを含み、
上位層シグナリングは、ＲＲＣシグナリングと、ＭＡＣ  ＣＥシグナリングと、の少なくとも１つを含む。
【０１７７】
具体的には、上位層シグナリングが設定情報を指示する方式は、
１つのＰＵＣＣＨ−Ｓｐａｔｉａｌ  Ｒｅｌａｔｉｏｎ  Ｉｎｆｏが、それぞれが１つのアップリンクビーム情報を指示する複数のリソース指示情報を指示することと、
複数のＰＵＣＣＨ−Ｓｐａｔｉａｌ  Ｒｅｌａｔｉｏｎ  Ｉｎｆｏが複数のリソース指示情報を指示することと、
ここで、複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む。
【０１７８】
ネットワーク側装置は、上位層シグナリングによりＰＵＣＣＨに複数のアップリンクビーム情報を設定する。
【０１７９】
ここで、ネットワーク側装置が上位層シグナリングによりＰＵＣＣＨに複数のアップリンクビーム情報を設定する具体的なプロセスは、上記図２に示す実施例における関連部分と同じである。
【０１８０】
本開示の実施例では、複数のアップリンクビーム情報とアップリンクチャネルの関連パラメータとが有する関連付け関係の決定方式は、
プロトコルにより規定されることと、
ネットワーク側装置により設定されることと、
端末装置により決定されることと、
の少なくとも１つを含む。
【０１８１】
ネットワーク側装置は、端末装置にアップリンクチャネルの複数のアップリンクビーム情報を設定した後、複数のアップリンクビーム情報とアップリンクチャネルの関連パラメータとが有する関連付け関係を決定する。
【０１８２】
なお、複数のアップリンクビーム情報とアップリンクチャネルの関連パラメータとが有する関連付け関係は、プロトコルにより規定されてもよく、ネットワーク側装置により設定されてもよく、端末装置により独立して決定されてもよく、他の方式により決定されてもよく、ここでは具体的には限定しない。
【０１８３】
ここで、ネットワーク側装置は、上位層シグナリング（ＲＲＣシグナリング、ＭＡＣ  ＣＥシグナリング）により端末装置に該関連付け関係を設定又は指示してもよく、ＤＣＩにより端末装置に該関連付け関係を指示してもよい。
【０１８４】
なお、関連付け関係を指示するＤＣＩと、アップリンクチャネルに複数のアップリンクビーム情報を設定するための設定情報を指示するＤＣＩとは、同じであってもよく、同じでなくてもよく、ここでは具体的に限定しない。
【０１８５】
本開示の実施例では、関連付け関係は、
ａ、複数のアップリンクビーム情報が異なるアップリンクチャネルに関連付けられることと、
ｂ、複数のアップリンクビーム情報が同じアップリンクチャネルにおける異なるＴＢに関連付けられることと、
ｃ、複数のアップリンクビーム情報が同じアップリンクチャネルに対応する異なる層又は異なるアンテナポートに関連付けられることと、
ｄ、複数のアップリンクビーム情報が同じアップリンクチャネルの異なる時間で伝送された部分に関連付けられることと、
ｅ、複数のアップリンクビーム情報が異なるＰＲＢ  ｂｕｎｄｌｅに関連付けられることと、
ｆ、複数のアップリンクビーム情報が同じＰＲＢ  ｂｕｎｄｌｅにおける異なるＰＲＢに関連付けられることと、
ｇ、複数のアップリンクビーム情報がアップリンクチャネルに対応する異なるリソース割り当てに関連付けられることと、
ｈ、複数のアップリンクビーム情報がアップリンクチャネルに対応する異なるＭＣＳに関連付けられることと、
ｉ、複数のアップリンクビーム情報がアップリンクチャネルに対応する異なるｎｕｍｅｒｏｌｏｇｙに関連付けられることと、
ｊ、複数のアップリンクビーム情報がアップリンクチャネルに対応する異なるキャリア又は異なるＢＷＰに関連付けられることと、
ｋ、複数のアップリンクビーム情報がアップリンクチャネルの毎回の繰り返し伝送に関連付けられることと、
の少なくとも１つを含む。
【０１８６】
なお、複数のアップリンクビーム情報とアップリンクチャネルの関連パラメータとが有する関連付け関係は、上記ａ〜ｋに加えて、他の関連付け関係を含んでもよく、ここでは具体的に限定しない。
【０１８７】
以下、ネットワーク側装置が複数のアップリンクビーム情報を使用してＰＵＳＣＨを受信することと、ネットワーク側装置が複数のアップリンクビーム情報を使用してＰＵＣＣＨを受信することと、という２つの態様についてそれぞれ詳細に説明する。
【０１８８】
第１の態様では、ネットワーク側装置は、複数のアップリンクビーム情報を使用してＰＵＳＣＨを受信する。
【０１８９】
本開示の実施例では、アップリンクチャネルがＰＵＳＣＨである場合、関連付け関係は、以下の少なくとも１つを含む。
【０１９０】
ａ、複数のアップリンクビーム情報が同じＤＣＩによりスケジューリングされた異なるＰＵＳＣＨに関連付けられる。
【０１９１】
ネットワーク側装置は、複数のアップリンクビーム情報を使用して、同じＤＣＩによりスケジューリングされた異なるＰＵＳＣＨを受信する。
【０１９２】
ｂ、複数のアップリンクビーム情報が同じＰＵＳＣＨにおける異なるＴＢに関連付けられる。
【０１９３】
ネットワーク側装置は、複数のアップリンクビーム情報を使用して、同じＰＵＳＣＨにおける異なるＴＢを受信する。
【０１９４】
ｃ、複数のアップリンクビーム情報が同じＰＵＳＣＨに対応する異なる層又は異なるアンテナポートに関連付けられる。
【０１９５】
ネットワーク側装置は、複数のアップリンクビーム情報を使用して、同じＰＵＳＣＨに対応する異なる層でＰＵＳＣＨを受信するか、あるいは、ネットワーク側装置は、複数のアップリンクビーム情報を使用して、同じＰＵＳＣＨに対応する異なるアンテナポートでＰＵＳＣＨを受信する。ｄ、複数のアップリンクビーム情報が同じＰＵＳＣＨの異なる時間で伝送した部分に関連付けられる。
【０１９６】
ネットワーク側装置は、複数のアップリンクビーム情報を使用して、同じＰＵＳＣＨの異なる時間で伝送された部分を受信する。
【０１９７】
ｇ、複数のアップリンクビーム情報がＰＵＳＣＨに対応する異なるリソース割り当てに関連付けられる。
【０１９８】
ネットワーク側装置は、複数のアップリンクビーム情報を使用して、ＰＵＳＣＨに対応する異なるリソース割り当てでＰＵＳＣＨを受信する。
【０１９９】
ｈ、複数のアップリンクビーム情報がＰＵＳＣＨに対応する異なるＭＣＳに関連付けられる。
【０２００】
ネットワーク側装置は、複数のアップリンクビーム情報を使用して、異なるＭＣＳを使用し、ＰＵＳＣＨを受信する。
【０２０１】
ｉ、複数のアップリンクビーム情報がＰＵＳＣＨに対応する異なるｎｕｍｅｒｏｌｏｇｙに関連付けられる。
【０２０２】
ネットワーク側装置は、複数のアップリンクビーム情報を使用して、異なるｎｕｍｅｒｏｌｏｇｙを使用し、ＰＵＳＣＨを受信する。
【０２０３】
ｊ、複数のアップリンクビーム情報がＰＵＳＣＨに対応する異なるキャリア又は異なるＢＷＰに関連付けられる。
【０２０４】
ネットワーク側装置は、複数のアップリンクビーム情報を使用して、異なるキャリアでＰＵＳＣＨを受信するか、あるいは、ネットワーク側装置は、複数のアップリンクビーム情報を使用して、異なるＢＷＰでＰＵＳＣＨを受信する。
【０２０５】
なお、上記関連付け関係ａ、ｂ、ｃ、ｄ、ｇ、ｈ、ｉ、ｊは、単独で使用してもよく、組み合わせで使用してもよく、ここでは具体的に限定しない。
【０２０６】
本開示の実施例では、
関連付け関係ａ、ｂ、ｃ、ｇ、ｈ、ｉ、ｊのうちの１つ以上に基づいて、複数のアップリンクビーム情報を同時に使用してＰＵＳＣＨを送信することをさらに含む。
【０２０７】
例えば、ネットワーク側装置は、複数のアップリンクビーム情報を同時に使用して、異なるＰＵＳＣＨを受信し、同じＰＵＳＣＨにおける異なるＴＢを受信し、同じＰＵＳＣＨに対応する異なる層でＰＵＳＣＨを受信し、同じＰＵＳＣＨに対応する異なるアンテナポートでＰＵＳＣＨを受信し、ＰＵＳＣＨに対応する異なるリソース割り当てでＰＵＳＣＨを受信し、異なるＭＣＳによってＰＵＳＣＨを受信し、異なるｎｕｍｅｒｏｌｏｇｙによってＰＵＳＣＨを受信し、異なるキャリアでＰＵＳＣＨを受信し、異なるＢＷＰでＰＵＳＣＨを受信する。
【０２０８】
本開示の実施例では、
関連付け関係ａ、ｂ、ｃ、ｄ、ｇ、ｈ、ｉ、ｊのうちの１つ以上に基づいて、予め設定されたビームの使用順序で、複数のアップリンクビーム情報を同時に使用してＰＵＳＣＨを受信することをさらに含む。
【０２０９】
例えば、ネットワーク側装置は、予め設定されたビーム使用順序に応じて、複数のアップリンクビーム情報を連続して使用し、異なるＰＵＳＣＨを受信し、同じＰＵＳＣＨにおける異なるＴＢを受信し、同じＰＵＳＣＨに対応する異なる層でＰＵＳＣＨを受信し、同じＰＵＳＣＨに対応する異なるアンテナポートでＰＵＳＣＨを受信し、同じＰＵＳＣＨの異なる時間で伝送した部分を受信し、ＰＵＳＣＨに対応する異なるリソース割り当てでＰＵＳＣＨを受信し、異なるＭＣＳによってＰＵＳＣＨを受信し、異なるｎｕｍｅｒｏｌｏｇｙによってＰＵＳＣＨを受信し、異なるキャリアでＰＵＳＣＨを受信し、異なるＢＷＰでＰＵＳＣＨを受信する。
【０２１０】
第２の態様では、ネットワーク側装置は、複数のアップリンクビーム情報を使用してＰＵＣＣＨを受信する。
【０２１１】
本開示の実施例では、アップリンクチャネルがＰＵＣＣＨである場合、関連付け関係は、以下の少なくとも１つを含む。
【０２１２】
ａ、複数のアップリンクビーム情報が異なるＰＵＣＣＨに関連付けられる。
【０２１３】
ネットワーク側装置は、複数のアップリンクビーム情報を使用して異なるＰＵＣＣＨを受信する。
【０２１４】
ネットワーク側装置は、複数のアップリンクビーム情報を使用して異なるＰＵＣＣＨを受信する場合、複数の異なるＰＵＣＣＨで同じＵＣＩを受信することができる。
【０２１５】
ここで、プロトコルにより規定される方式又はネットワーク側装置により指示される方式で、どのＰＵＣＣＨで同じＵＣＩを受信するかを決定することができる。
【０２１６】
ｃ、複数のアップリンクビーム情報が同じＰＵＣＣＨに対応する異なる層又は異なるアンテナポートに関連付けられる。
【０２１７】
ネットワーク側装置は、複数のアップリンクビーム情報を使用して、同じＰＵＣＣＨに対応する異なる層でＰＵＣＣＨを受信するか、あるいは、ネットワーク側装置は、複数のアップリンクビーム情報を使用して、同じＰＵＣＣＨに対応する異なるアンテナポートでＰＵＣＣＨを受信する。
【０２１８】
ｄ、複数のアップリンクビーム情報が同じＰＵＣＣＨの異なる時間で伝送された部分に関連付けられる。
【０２１９】
ネットワーク側装置は、複数のアップリンクビーム情報を使用して、同じＰＵＣＣＨの異なる時間で伝送された部分を受信する。
【０２２０】
ｅ、複数のアップリンクビーム情報が異なるＰＲＢ  ｂｕｎｄｌｅに関連付けられる。
【０２２１】
ネットワーク側装置は、複数のアップリンクビーム情報を使用して、異なるＰＲＢ  ｂｕｎｄｌｅを受信する。
【０２２２】
ｆ、複数のアップリンクビーム情報が同じＰＲＢ  ｂｕｎｄｌｅにおける異なるＰＲＢに関連付けられる。
【０２２３】
ネットワーク側装置は、複数のアップリンクビーム情報を使用して、同じＰＲＢ  ｂｕｎｄｌｅにおける異なるＰＲＢを受信する。
【０２２４】
ｇ、複数のアップリンクビーム情報がＰＵＣＣＨに対応する異なるリソース割り当てに関連付けられる。
【０２２５】
ネットワーク側装置は、複数のアップリンクビーム情報を使用して、ＰＵＣＣＨに対応する異なるリソース割り当てでＰＵＣＣＨを受信する。
【０２２６】
ｈ、複数のアップリンクビーム情報がＰＵＣＣＨに対応する異なるＭＣＳに関連付けられる。
【０２２７】
ネットワーク側装置は、複数のアップリンクビーム情報を使用して、異なるＭＣＳを使用し、ＰＵＣＣＨを受信する。
【０２２８】
ｉ、複数のアップリンクビーム情報がＰＵＣＣＨに対応する異なるｎｕｍｅｒｏｌｏｇｙに関連付けられる。
【０２２９】
ネットワーク側装置は、複数のアップリンクビーム情報を使用して、異なるｎｕｍｅｒｏｌｏｇｙを使用し、ＰＵＣＣＨを受信する。
【０２３０】
ｊ、複数のアップリンクビーム情報がＰＵＣＣＨに対応する異なるキャリア又は異なるＢＷＰに関連付けられる。
【０２３１】
ネットワーク側装置は、複数のアップリンクビーム情報を使用して、異なるキャリアでＰＵＣＣＨを受信するか、あるいは、ネットワーク側装置は、複数のアップリンクビーム情報を使用して、異なるＢＷＰでＰＵＣＣＨを受信する。
【０２３２】
ｋ、複数のアップリンクビーム情報がＰＵＣＣＨの毎回の繰り返し伝送に関連付けられる。
【０２３３】
ネットワーク側装置は、異なるアップリンクビーム情報を使用してＰＵＣＣＨの毎回の繰り返し伝送を受信する。
【０２３４】
なお、上記関連付け関係ａ、ｃ、ｄ、ｅ、ｆ、ｇ、ｈ、ｉ、ｊ、ｋは、単独で使用してもよく、組み合わせで使用してもよく、ここでは具体的に限定しない。
【０２３５】
本開示の実施例では、
関連付け関係ａ、ｃ、ｅ、ｆ、ｇ、ｈ、ｉ、ｊ、ｋのうちの１つ以上に基づいて、複数のアップリンクビーム情報を同時に使用してＰＵＣＣＨを受信することをさらに含む。
【０２３６】
例えば、ネットワーク側装置は、複数のアップリンクビーム情報を同時に使用して異なるＰＵＣＣＨを受信し、同じＰＵＣＣＨに対応する異なる層でＰＵＣＣＨを受信し、同じＰＵＣＣＨに対応する異なるアンテナポートでＰＵＣＣＨを受信し、異なるＰＲＢ  ｂｕｎｄｌｅを受信し、同じＰＲＢ  ｂｕｎｄｌｅにおける異なるＰＲＢを受信し、ＰＵＣＣＨに対応する異なるリソース割り当てでＰＵＣＣＨを受信し、異なるＭＣＳによってＰＵＣＣＨを受信し、異なるｎｕｍｅｒｏｌｏｇｙによってＰＵＣＣＨを受信し、異なるキャリアでＰＵＣＣＨを受信し、異なるＢＷＰでＰＵＣＣＨを受信し、ＰＵＣＣＨの毎回の繰り返し伝送を受信する。
【０２３７】
本開示の実施例では、
関連付け関係ａ、ｃ、ｄ、ｅ、ｆ、ｇ、ｈ、ｉ、ｊ、ｋのうちの１つ以上に基づいて、予め設定されたビームの使用順序で、複数のアップリンクビーム情報を使用してＰＵＣＣＨを受信することをさらに含む。
【０２３８】
例えば、ネットワーク側装置は、予め設定されたビームの使用順序で、複数のアップリンクビーム情報を連続して使用し、異なるＰＵＣＣＨを受信し、同じＰＵＣＣＨに対応する異なる層でＰＵＣＣＨを受信し、同じＰＵＣＣＨに対応する異なるアンテナポートでＰＵＣＣＨを受信し、同じＰＵＣＣＨの異なる時間で伝送された部分、異なるＰＲＢ  ｂｕｎｄｌｅを受信し、同じＰＲＢ  ｂｕｎｄｌｅにおける異なるＰＲＢを受信し、ＰＵＣＣＨに対応する異なるリソース割り当てでＰＵＣＣＨを受信し、異なるＭＣＳによってＰＵＣＣＨを受信し、異なるｎｕｍｅｒｏｌｏｇｙによってＰＵＣＣＨを受信し、異なるキャリアでＰＵＣＣＨを受信し、異なるＢＷＰでＰＵＣＣＨを受信し、ＰＵＣＣＨの毎回の繰り返し伝送を受信する。
【０２３９】
本開示の実施例では、
ビーム切り替えポイントを決定することをさらに含む。
【０２４０】
ネットワーク側装置は、複数のアップリンクビーム情報を使用して、同じＰＵＳＣＨが異なる時間で伝送された部分又はＰＵＣＣＨが異なる時間で伝送された部分を受信するか、又は関連付け関係のうちの１つ以上に基づいて、予め設定されたビームの使用順序で、複数のアップリンクビーム情報を使用してＰＵＳＣＨ又はＰＵＣＣＨを受信する場合、ネットワーク側装置は、まず、ビーム切り替えポイントを決定し、さらに、ビーム切り替えポイントの前後で異なるアップリンクビーム情報を使用してＰＵＳＣＨ又はＰＵＣＣＨを受信する必要がある。
【０２４１】
本開示の実施例では、上記ビーム切り替えポイントを決定する方式は、以下の２つの方式の少なくとも１つを含む。
【０２４２】
第１の方式について、
ネットワーク側装置による設定、又はプロトコルにより規定される周波数ホッピングポイントに基づいて、ビーム切り替えポイントを決定する。
【０２４３】
実際の応用において、ネットワーク側装置は、ＲＲＣシグナリングにより、端末装置に周波数ホッピングを設定するか、又は、プロトコルにより周波数ホッピング情報を規定する。
【０２４４】
ネットワーク側装置は、周波数ホッピング情報における周波数ホッピングポイントをビーム切り替えポイントとして決定し、すなわち、周波数ホッピングポイントの前後で、異なるアップリンクビーム情報を使用してＰＵＳＣＨ又はＰＵＣＣＨを受信することができる。
【０２４５】
第２の方式について、
ネットワーク側装置による設定又はプロトコルによる規定によって、少なくとも１つのビーム切り替えポイントを決定する。
【０２４６】
ネットワーク側装置は、上位層シグナリング又はＤＣＩにより、端末装置に少なくとも１つのビーム切り替えポイントを設定するか、又はネットワーク側装置と端末装置が少なくとも１つのビーム切り替えポイントを予め約定するか、又はプロトコルにより少なくとも１つのビーム切り替えポイントを規定することができる。
【０２４７】
ネットワーク側装置は、ビーム切り替えポイントの前後で異なるアップリンクビーム情報を使用して、ＰＵＳＣＨ又はＰＵＣＣＨを受信する。
【０２４８】
本開示の実施例では、予め設定されたビームの使用順序の決定方式は、
ネットワーク側装置により設定されることと、
プロトコルにより規定されることと、
端末装置により決定されることと、の少なくとも１つを含む。
【０２４９】
ネットワーク側装置は、上位層シグナリング又はＤＣＩにより、端末装置に複数のアップリンクビーム情報の予め設定されたビームの使用順序を指示するか、又はプロトコルにより複数のアップリンクビーム情報の予め設定されたビームの使用順序を規定するか、又は端末装置が自身の伝送能力に応じて、複数のアップリンクビーム情報の予め設定されたビームの使用順序を独立して決定し、さらに、端末装置は、予め設定されたビームの使用順序で、複数のアップリンクビーム情報を連続して使用し、ＰＵＳＣＨ又はＰＵＣＣＨを送信することにより、ネットワーク側装置が予め設定されたビームの使用順序で、複数のアップリンクビーム情報を連続して使用し、ＰＵＳＣＨ又はＰＵＣＣＨを受信する。
【０２５０】
本開示の実施例に記載された技術手段は、設定情報によりアップリンクチャネルに複数のアップリンクビーム情報を設定し、複数のアップリンクビーム情報とアップリンクチャネルの関連パラメータとが関連付け関係を有することにより、端末装置は、該関連付け関係に基づいて、複数のアップリンクビーム情報を用いてアップリンクチャネルを送信できるため、通信システムのアップリンク伝送効率を効果的に向上させることができる。
【０２５１】
図４は、本開示の実施例に係る端末装置の概略構成図である。図４に示す端末装置４００は、
アップリンクチャネル用の複数のアップリンクビーム情報を含む設定情報を受信するための受信モジュール４０１を含み、ここで、複数のアップリンクビーム情報は、アップリンクチャネルの関連パラメータと関連付け関係を有する。
【０２５２】
好ましくは、受信モジュール４０１は、さらに、
設定情報を指示するためのＤＣＩを受信することに用いられる。
【０２５３】
好ましくは、アップリンクチャネルは、ＰＵＳＣＨであり、ＤＣＩには、少なくとも１つのＳＲＩシグナリングフィールドが含まれ、
ＤＣＩが設定情報を指示する方式は、
１つのＳＲＩシグナリングフィールドが、それぞれが１つのアップリンクビーム情報を指示する複数のリソース指示情報を指示することと、
複数のＳＲＩシグナリングフィールドが複数のリソース指示情報を指示することと、
ここで、複数のＳＲＩシグナリングフィールドのうちの各ＳＲＩシグナリングフィールドは、それぞれが１つのアップリンクビーム情報を指示する少なくとも１つのリソース指示情報を指示し、
の少なくとも１つを含む。
【０２５４】
好ましくは、受信モジュール４０１は、さらに、
ＰＵＳＣＨのＳｐａｔｉａｌ  Ｒｅｌａｔｉｏｎを設定するか、又はＳＲＳリソースのＳｐａｔｉａｌ  Ｒｅｌａｔｉｏｎを設定するためのＲＲＣシグナリングを受信する。
【０２５５】
好ましくは、ＲＲＣシグナリングがＰＵＳＣＨのＳｐａｔｉａｌ  Ｒｅｌａｔｉｏｎを設定する方式は、
ＲＲＣシグナリングには、複数のリソース指示情報を含む１つのＰＵＳＣＨ−Ｓｐａｔｉａｌ  Ｒｅｌａｔｉｏｎ  Ｉｎｆｏが含まれることと、
ＲＲＣシグナリングには、それぞれが少なくとも１つのリソース指示情報を含む複数のＰＵＳＣＨ−Ｓｐａｔｉａｌ  Ｒｅｌａｔｉｏｎ  Ｉｎｆｏが含まれることと、
の少なくとも１つを含む。
【０２５６】
好ましくは、ＲＲＣシグナリングがＳＲＳリソースのＳｐａｔｉａｌ  Ｒｅｌａｔｉｏｎを設定する方式は、
ＲＲＣシグナリングが、各ＳＲＳリソースに、複数のリソース指示情報を含む１つのＳＲＳ−Ｓｐａｔｉａｌ  Ｒｅｌａｔｉｏｎ  Ｉｎｆｏを設定することと、
ＲＲＣシグナリングが、各ＳＲＳリソースに、それぞれが少なくとも１つのリソース指示情報を含む複数のＳＲＳ−Ｓｐａｔｉａｌ  Ｒｅｌａｔｉｏｎ  Ｉｎｆｏを設定することと、
の少なくとも１つを含む。
【０２５７】
好ましくは、アップリンクチャネルは、ＰＵＣＣＨであり、ＤＣＩには、少なくとも１つのシグナリングフィールドが含まれ、
ＤＣＩが設定情報を指示する方式は、
１つのシグナリングフィールドが、それぞれが１つのアップリンクビーム情報を指示する複数のリソース指示情報を指示する１つのＰＵＣＣＨ−Ｓｐａｔｉａｌ  Ｒｅｌａｔｉｏｎ  Ｉｎｆｏを指示することと、
少なくとも１つのシグナリングフィールドが、複数のＰＵＣＣＨ−Ｓｐａｔｉａｌ  Ｒｅｌａｔｉｏｎ  Ｉｎｆｏを指示することと、
ここで、複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む。
【０２５８】
好ましくは、アップリンクチャネルは、ＰＵＣＣＨであり、
受信モジュール４０１は、さらに、
設定情報を指示するための上位層シグナリングを受信し、
上位層シグナリングは、ＲＲＣシグナリングと、ＭＡＣ  ＣＥシグナリングと、の少なくとも１つを含む。
【０２５９】
好ましくは、上位層シグナリングが設定情報を指示する方式は、
１つのＰＵＣＣＨ−Ｓｐａｔｉａｌ  Ｒｅｌａｔｉｏｎ  Ｉｎｆｏが、それぞれが１つのアップリンクビーム情報を指示する複数のリソース指示情報を指示することと、
複数のＰＵＣＣＨ−Ｓｐａｔｉａｌ  Ｒｅｌａｔｉｏｎ  Ｉｎｆｏが、複数のリソース指示情報を指示することと、
ここで、複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む。
【０２６０】
好ましくは、リソース指示情報は、
ＣＲＩと、ＳＳＢＲＩと、ＳＲＩと、の少なくとも１つを含む。
【０２６１】
好ましくは、複数のアップリンクビーム情報とアップリンクチャネルの関連パラメータとが有する関連付け関係の決定方式は、
プロトコルにより規定されることと、
ネットワーク側装置により設定されることと、
端末装置４００により決定されることと、
の少なくとも１つを含む。
【０２６２】
好ましくは、関連付け関係は、
ａ、複数のアップリンクビーム情報が異なるアップリンクチャネルに関連付けられることと、
ｂ、複数のアップリンクビーム情報が同じアップリンクチャネルにおける異なるＴＢに関連付けられることと、
ｃ、複数のアップリンクビーム情報が同じアップリンクチャネルに対応する異なる層又は異なるアンテナポートに関連付けられることと、
ｄ、複数のアップリンクビーム情報が同じアップリンクチャネルの異なる時間で伝送された部分に関連付けられることと、
ｅ、複数のアップリンクビーム情報が異なるＰＲＢ  ｂｕｎｄｌｅに関連付けられることと、
ｆ、複数のアップリンクビーム情報が同じＰＲＢ  ｂｕｎｄｌｅにおける異なるＰＲＢに関連付けられることと、
ｇ、複数のアップリンクビーム情報がアップリンクチャネルに対応する異なるリソース割り当てに関連付けられることと、
ｈ、複数のアップリンクビーム情報がアップリンクチャネルに対応する異なるＭＣＳに関連付けられることと、
ｉ、複数のアップリンクビーム情報がアップリンクチャネルに対応する異なるｎｕｍｅｒｏｌｏｇｙに関連付けられることと、
ｊ、複数のアップリンクビーム情報がアップリンクチャネルに対応する異なるキャリア又は異なるＢＷＰに関連付けられることと、
ｋ、複数のアップリンクビーム情報がアップリンクチャネルの毎回の繰り返し伝送に関連付けられることと、の少なくとも１つを含む。
【０２６３】
好ましくは、アップリンクチャネルがＰＵＳＣＨである場合、関連付け関係は、ａ、ｂ、ｃ、ｄ、ｇ、ｈ、ｉ、ｊの少なくとも１つを含み、
アップリンクチャネルがＰＵＣＣＨである場合、関連付け関係は、ａ、ｃ、ｄ、ｅ、ｆ、ｇ、ｈ、ｉ、ｊ、ｋの少なくとも１つを含む。
【０２６４】
好ましくは、端末装置４００は、
関連付け関係ａ、ｂ、ｃ、ｅ、ｆ、ｇ、ｈ、ｉ、ｊ、ｋのうちの１つ以上に基づいて、複数のアップリンクビーム情報を同時に使用してアップリンクチャネルを送信するための第１の送信モジュールをさらに含む。
【０２６５】
好ましくは、端末装置４００は、
関連付け関係ａ、ｂ、ｃ、ｄ、ｅ、ｆ、ｇ、ｈ、ｉ、ｊ、ｋのうちの１つ以上に基づいて、予め設定されたビームの使用順序で複数のアップリンクビーム情報を使用してアップリンクチャネルを送信するための第２の送信モジュールをさらに含む。
【０２６６】
なお、第１の送信モジュールと第２の送信モジュールとは、送信機能を有する同じハードウェア送信モジュールであってもよく、送信機能を有する異なるソフトウェア送信モジュールであってもよく、ここでは具体的に限定しない。
【０２６７】
好ましくは、端末装置４００は、さらに、
ビーム切り替えポイントを決定するための決定モジュールを含む。
【０２６８】
好ましくは、決定モジュールは、さらに、
ネットワーク側装置による設定、又はプロトコルにより規定される周波数ホッピングポイントに基づいて、ビーム切り替えポイントを決定する。
【０２６９】
好ましくは、決定モジュールは、さらに、
ネットワーク側装置による設定又はプロトコルによる規定によって、少なくとも１つのビーム切り替えポイントを決定する。
【０２７０】
好ましくは、予め設定されたビームの使用順序の決定方式は、
ネットワーク側装置により設定されることと、
プロトコルにより規定されることと、
端末装置４００により決定されることと、
の少なくとも１つを含む。
【０２７１】
本開示の実施例に係る端末装置４００は、図２の方法の実施例に係る端末装置によって実現される各プロセスを実現することができ、重複を避けるために、ここでは説明を省略する。
【０２７２】
図５は、本開示の実施例に係るネットワーク側装置の概略構成図である。図５に示すネットワーク側装置５００は、
アップリンクチャネル用の複数のアップリンクビーム情報を含む設定情報を送信するための送信モジュール５０１を含み、ここで、複数のアップリンクビーム情報は、アップリンクチャネルの関連パラメータと関連付け関係を有する。
【０２７３】
好ましくは、送信モジュール５０１は、さらに、
設定情報を指示するためのＤＣＩを受信する。
【０２７４】
好ましくは、アップリンクチャネルは、ＰＵＳＣＨであり、ＤＣＩには、少なくとも１つのＳＲＩシグナリングフィールドが含まれ、
ＤＣＩが設定情報を指示する方式は、
１つのＳＲＩシグナリングフィールドが、それぞれが１つのアップリンクビーム情報を指示する複数のリソース指示情報を指示することと、
複数のＳＲＩシグナリングフィールドが複数のリソース指示情報を指示することと、
ここで、複数のＳＲＩシグナリングフィールドのうちの各ＳＲＩシグナリングフィールドは、それぞれが１つのアップリンクビーム情報を指示する少なくとも１つのリソース指示情報を指示し、
の少なくとも１つを含む。
【０２７５】
好ましくは、送信モジュール５０１は、さらに、
ＰＵＳＣＨのＳｐａｔｉａｌ  Ｒｅｌａｔｉｏｎを設定するか、又はＳＲＳリソースのＳｐａｔｉａｌ  Ｒｅｌａｔｉｏｎを設定するためのＲＲＣシグナリングを送信する。
【０２７６】
好ましくは、ＲＲＣシグナリングがＰＵＳＣＨのＳｐａｔｉａｌ  Ｒｅｌａｔｉｏｎを設定する方式は、
ＲＲＣシグナリングには、複数のリソース指示情報を含む１つのＰＵＳＣＨ−Ｓｐａｔｉａｌ  Ｒｅｌａｔｉｏｎ  Ｉｎｆｏが含まれることと、
ＲＲＣシグナリングには、それぞれが少なくとも１つのリソース指示情報を含む複数のＰＵＳＣＨ−Ｓｐａｔｉａｌ  Ｒｅｌａｔｉｏｎ  Ｉｎｆｏが含まれることと、
の少なくとも１つを含む。
【０２７７】
好ましくは、ＲＲＣシグナリングがＳＲＳリソースのＳｐａｔｉａｌ  Ｒｅｌａｔｉｏｎを設定する方式は、
ＲＲＣシグナリングが、各ＳＲＳリソースに、複数のリソース指示情報を含む１つのＳＲＳ−Ｓｐａｔｉａｌ  Ｒｅｌａｔｉｏｎ  Ｉｎｆｏを設定することと、
ＲＲＣシグナリングが、各ＳＲＳリソースに、それぞれが少なくとも１つのリソース指示情報を含む複数のＳＲＳ−Ｓｐａｔｉａｌ  Ｒｅｌａｔｉｏｎ  Ｉｎｆｏを設定することと、
の少なくとも１つを含む。
【０２７８】
好ましくは、アップリンクチャネルは、ＰＵＣＣＨであり、ＤＣＩには、少なくとも１つのシグナリングフィールドが含まれ、
ＤＣＩが設定情報を指示する方式は、
１つのシグナリングフィールドが、それぞれが１つのアップリンクビーム情報を指示する複数のリソース指示情報を指示する１つのＰＵＣＣＨ−Ｓｐａｔｉａｌ  Ｒｅｌａｔｉｏｎ  Ｉｎｆｏを指示することと、
少なくとも１つのシグナリングフィールドが、複数のＰＵＣＣＨ−Ｓｐａｔｉａｌ  Ｒｅｌａｔｉｏｎ  Ｉｎｆｏを指示することと、
ここで、複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む。
【０２７９】
好ましくは、アップリンクチャネルは、ＰＵＣＣＨであり、
送信モジュール５０１は、さらに、
設定情報を指示するための上位層シグナリングを送信する。
【０２８０】
上位層シグナリングは、ＲＲＣシグナリングと、ＭＡＣ  ＣＥシグナリングと、の少なくとも１つを含む。
【０２８１】
好ましくは、上位層シグナリングが設定情報を指示する方式は、
１つのＰＵＣＣＨ−Ｓｐａｔｉａｌ  Ｒｅｌａｔｉｏｎ  Ｉｎｆｏが、それぞれが１つのアップリンクビーム情報を指示する複数のリソース指示情報を指示することと、
複数のＰＵＣＣＨ−Ｓｐａｔｉａｌ  Ｒｅｌａｔｉｏｎ  Ｉｎｆｏが、複数のリソース指示情報を指示することと、
ここで、複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む。
【０２８２】
好ましくは、リソース指示情報は、
ＣＲＩと、ＳＳＢＲＩと、ＳＲＩと、の少なくとも１つを含む。
【０２８３】
好ましくは、複数のアップリンクビーム情報とアップリンクチャネルの関連パラメータとが有する関連付け関係の決定方式は、
プロトコルにより規定されることと、
ネットワーク側装置５００により設定されることと、
端末装置により決定されることと、
の少なくとも１つを含む。
【０２８４】
好ましくは、関連付け関係は、
ａ、複数のアップリンクビーム情報が異なるアップリンクチャネルに関連付けられることと、
ｂ、複数のアップリンクビーム情報が同じアップリンクチャネルにおける異なるＴＢに関連付けられることと、
ｃ、複数のアップリンクビーム情報が同じアップリンクチャネルに対応する異なる層又は異なるアンテナポートに関連付けられることと、
ｄ、複数のアップリンクビーム情報が同じアップリンクチャネルの異なる時間で伝送された部分に関連付けられることと、
ｅ、複数のアップリンクビーム情報が異なるＰＲＢ  ｂｕｎｄｌｅに関連付けられることと、
ｆ、複数のアップリンクビーム情報が同じＰＲＢ  ｂｕｎｄｌｅにおける異なるＰＲＢに関連付けられることと、
ｇ、複数のアップリンクビーム情報がアップリンクチャネルに対応する異なるリソース割り当てに関連付けられることと、
ｈ、複数のアップリンクビーム情報がアップリンクチャネルに対応する異なるＭＣＳに関連付けられることと、
ｉ、複数のアップリンクビーム情報がアップリンクチャネルに対応する異なるｎｕｍｅｒｏｌｏｇｙに関連付けられることと、
ｊ、複数のアップリンクビーム情報がアップリンクチャネルに対応する異なるキャリア又は異なるＢＷＰに関連付けられることと、
ｋ、複数のアップリンクビーム情報がアップリンクチャネルの毎回の繰り返し伝送に関連付けられることと、の少なくとも１つを含む。
【０２８５】
好ましくは、アップリンクチャネルがＰＵＳＣＨである場合、関連付け関係は、ａ、ｂ、ｃ、ｄ、ｇ、ｈ、ｉ、ｊの少なくとも１つを含み、
アップリンクチャネルがＰＵＣＣＨである場合、関連付け関係は、ａ、ｃ、ｄ、ｅ、ｆ、ｇ、ｈ、ｉ、ｊ、ｋの少なくとも１つを含む。
【０２８６】
好ましくは、ネットワーク側装置は、
関連付け関係ａ、ｂ、ｃ、ｅ、ｆ、ｇ、ｈ、ｉ、ｊ、ｋのうちの１つ以上に基づいて、複数のアップリンクビーム情報を同時に使用してアップリンクチャネルを受信するための第１の受信モジュールをさらに含む。
【０２８７】
好ましくは、ネットワーク側装置は、
関連付け関係ａ、ｂ、ｃ、ｄ、ｅ、ｆ、ｇ、ｈ、ｉ、ｊ、ｋのうちの１つ以上に基づいて、予め設定されたビームの使用順序で複数のアップリンクビーム情報を使用してアップリンクチャネルを受信するための第２の受信モジュールをさらに含む。
【０２８８】
なお、第１の受信モジュールと第２の受信モジュールとは、受信機能を有する同じハードウェア受信モジュールであってもよく、受信機能を有する異なるソフトウェア受信モジュールであってもよく、ここでは具体的に限定しない。
【０２８９】
好ましくは、端末装置５００は、
ビーム切り替えポイントを決定するための決定モジュールをさらに含む。
【０２９０】
好ましくは、決定モジュールは、さらに、
ネットワーク側装置５００による設定、又はプロトコルにより規定される周波数ホッピングポイントに基づいて、ビーム切り替えポイントを決定する。
【０２９１】
好ましくは、決定モジュールは、さらに、
ネットワーク側装置５００による設定又はプロトコルによる規定によって、少なくとも１つのビーム切り替えポイントを決定する。
【０２９２】
好ましくは、予め設定されたビームの使用順序の決定方式は、
ネットワーク側装置５００により設定されることと、
プロトコルにより規定されることと、
端末装置により決定されることと、
の少なくとも１つを含む。
【０２９３】
本開示の実施例に係るネットワーク側装置５００は、図３の方法の実施例に係るネットワーク側装置によって実現される各プロセスを実現することができ、重複を避けるために、ここでは説明を省略する。
【０２９４】
図６は、本開示の実施例に係る別の端末装置の概略構成図である。図６に示す端末装置６００は、少なくとも１つのプロセッサ６０１、メモリ６０２、少なくとも１つのネットワークインタフェース６０４及びユーザインタフェース６０３を含む。端末装置６００内の各コンポーネントは、バスシステム６０５により結合される。理解できるように、バスシステム６０５は、これらのコンポーネント間の接続通信を実現するためのものである。バスシステム６０５は、データバスに加えて、電源バス、制御バス及び状態信号バスをさらに含む。しかしながら、説明を明らかにするために、図６において、様々なバスを全てバスシステム６０５と表記する。
【０２９５】
ユーザインタフェース６０３は、ディスプレイ、キーボード又はクリック装置（例えば、マウス、トラックボール（ｔｒａｃｋｂａｌｌ））、タッチパッド又はタッチスクリーンなどを含んでよい。
【０２９６】
理解できるように、本開示の実施例におけるメモリ６０２は、揮発性メモリ又は不揮発性メモリであってもよく、揮発性及び不揮発性メモリの両方を含んでもよい。不揮発性メモリは、読み取り専用メモリ（ＲＯＭ、Ｒｅａｄ−Ｏｎｌｙ  Ｍｅｍｏｒｙ）、プログラマブル読み取り専用メモリ（ＰＲＯＭ、Ｐｒｏｇｒａｍｍａｂｌｅ  ＲＯＭ）、消去可能なプログラマブル読み取り専用メモリ（ＥＰＲＯＭ、Ｅｒａｓａｂｌｅ  ＰＲＯＭ）、電気的消去可能プログラマブル読み取り専用メモリ（ＥＥＰＲＯＭ、Ｅｌｅｃｔｒｉｃａｌｌｙ  ＥＰＲＯＭ）又はフラッシュメモリであってよい。揮発性メモリは、外部キャッシュとして用いられるランダムアクセスメモリ（ＲＡＭ、Ｒａｎｄｏｍ  Ａｃｃｅｓｓ  Ｍｅｍｏｒｙ）であってよい。限定的なものではなく例示的な説明によれば、スタティックランダムアクセスメモリ（ＳＲＡＭ、Ｓｔａｔｉｃ  ＲＡＭ）、ダイナミックランダムアクセスメモリ  （ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ））、ダブルデータレートシンクロナスダイナミックランダムアクセスメモリ（ＤＤＲＳＤＲＡＭ、Ｄｏｕｂｌｅ  Ｄａｔａ  Ｒａｔｅ  ＳＤＲＡＭ）、エンハンスドシンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈ  ｌｉｎｋ  ＤＲＡＭ）及びダイレクトラムバスランダムアクセスメモリ（ＤＲＲＡＭ、Ｄｉｒｅｃｔ  Ｒａｍｂｕｓ  ＲＡＭ）などの多くの形態のＲＡＭは使用可能である。本開示の実施例に係るシステム及び方法におけるメモリ６０２は、これらのメモリ及び任意の他の適切なタイプのメモリを含むが、それらに限定されないことが意図される。
【０２９７】
いくつかの実施形態では、メモリ６０２は、実行可能モジュール又はデータ構造、又はそれらのサブセット、又はオペレーティングシステム６０２１及びアプリケーションプログラム６０２２であるそれらの拡張セットなどの要素を記憶する。
【０２９８】
オペレーティングシステム６０２１は、様々な基本タスクを実現し、かつハードウェアベースのタスクを処理するための、フレームワーク層、コアライブラリ層、ドライバ層などの様々なシステムプログラムを含む。アプリケーションプログラム６０２２は、様々なアプリケーションサービスを実現するための、メディアプレーヤー（Ｍｅｄｉａ  Ｐｌａｙｅｒ）、ブラウザ（Ｂｒｏｗｓｅｒ）などの様々なアプリケーションプログラムを含む。本開示の実施例の方法を実現するプログラムは、アプリケーションプログラム６０２２に含まれてよい。
【０２９９】
本開示の実施例では、端末装置６００は、メモリ６０２に記憶されプロセッサ６０１で実行可能なプログラムとを含み、
プログラムがプロセッサ６０１によって実行されると、アップリンクチャネル用の複数のアップリンクビーム情報を含む設定情報を受信するステップが実現され、
ここで、複数のアップリンクビーム情報は、アップリンクチャネルの関連パラメータと関連付け関係を有する。
【０３００】
上記本開示の実施例に係る方法は、プロセッサ６０１に適用されてもよく、プロセッサ６０１によって実現されてもよい。プロセッサ６０１は、信号の処理能力を有する集積回路チップである可能性がある。実現プロセスにおいて、上記方法の各ステップは、プロセッサ６０１内のハードウェアの集積論理回路又はソフトウェアの形態の命令によって実現することができる。上記プロセッサ６０１は、汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントであってよい。本開示の実施例に係る各方法、ステップ及び論理ブロック図を実現又は実行することができる。汎用プロセッサは、マイクロプロセッサであってもよく、任意の通常のプロセッサなどであってもよい。本開示の実施例に係る方法を結合するステップは、ハードウェア復号プロセッサによって実行して完了されるか、又は復号プロセッサ内のハードウェアとソフトウェアモジュールとの組み合わせによって実行して完了されるものとして、直接的に具体化され得る。ソフトウェアモジュールは、ランダムメモリ、フラッシュメモリ、読み取り専用メモリ、プログラマブル読み取り専用メモリ又は電気的消去可能プログラマブルメモリ、レジスターなどの、本分野において十分に確立されたコンピュータ可読記憶媒体に位置してよい。該コンピュータ可読記憶媒体は、メモリ６０２に位置し、プロセッサ６０１は、メモリ６０２内の情報を読み取って、ハードウェアと組み合わせて上記方法のステップを完了する。具体的には、該コンピュータ可読記憶媒体には、プロセッサ６０１によって実行されると、上記図２に示される方法の実施例の各ステップを実現するコンピュータプログラムが記憶されている。
【０３０１】
理解できるように、本開示の実施例に係るこれらの実施例は、ハードウェア、ソフトウェア、ファームウェア、ミドルウェア、マイクロコード、又はそれらの組み合わせによって実現されてよい。ハードウェアによる実現に対して、処理ユニットは、１つ以上の特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔｓ）、デジタルシグナルプロセッサ（ＤＳＰ、Ｄｉｇｉｔａｌ  Ｓｉｇｎａｌ  Ｐｒｏｃｅｓｓｉｎｇ）、デジタル信号処理デバイス（ＤＳＰＤ、ＤＳＰ  Ｄｅｖｉｃｅ）、プログラマブルロジックデバイス（ＰＬＤ、Ｐｒｏｇｒａｍｍａｂｌｅ  Ｌｏｇｉｃ  Ｄｅｖｉｃｅ）、フィールドプログラマブルゲートアレイ（ＦＰＧＡ、Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、本開示に記載の機能を実行するための他の電子ユニット又はそれらの組み合わせにおいて実現されてよい。
【０３０２】
ソフトウェアによる実現に対して、本開示の実施例に係る機能を実行するモジュール（例えば、プロセス、関数など）により、本開示の実施例に係る技術を実現してよい。ソフトウェアコードは、メモリに記憶され、かつプロセッサによって実行されてよい。メモリは、プロセッサ内又はプロセッサ外で実現されてよい。
【０３０３】
端末装置６００は、前述の図２の方法の実施例における端末装置によって実現される各プロセスを実現することができ、重複を避けるために、ここでは説明を省略する。
【０３０４】
本開示の実施例に係るコンピュータ可読記憶媒体は、プロセッサによって実行されると、上記図２の方法の実施例の各プロセスを実現し、かつ同様な技術的効果を達成することができるプログラムが記憶されており、重複を避けるために、ここでは説明を省略する。上記コンピュータ可読記憶媒体は、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、ディスク又は光ディスクなどであってよい。
【０３０５】
図７は、本開示の実施例に係る別のネットワーク側装置の概略構成図である。図７に示すネットワーク側装置７００は、図３の方法の実施例の詳細を実現し、かつ同様な効果を達成することができる。図７に示すように、ネットワーク側装置７００は、プロセッサ７０１、トランシーバ７０２、メモリ７０３、ユーザインタフェース７０４及びバスインタフェースを含み、
本開示の実施例では、ネットワーク側装置７００は、メモリ７０３に記憶され、プロセッサ７０１で実行可能なプログラムとを含み、
プログラムがプロセッサ７０１によって実行されると、アップリンクチャネル用の複数のアップリンクビーム情報を含む設定情報を送信するステップが実現され、
ここで、複数のアップリンクビーム情報は、アップリンクチャネルの関連パラメータと関連付け関係を有する。
【０３０６】
図７において、バスアーキテクチャは、任意の数の相互接続されたバス及びブリッジを含んでよく、具体的には、プロセッサ７０１を代表とする１つ以上のプロセッサと、メモリ７０３を代表とするメモリの様々な回路によって一対に接続される。バスアーキテクチャは、さらに、周辺装置、スタビライザ及びパワー管理回路などの様々なその他の回路を一体に接続してもよく、これらはいずれも本分野において既知のものであるため、本明細書においてさらに説明しない。バスインタフェースは、インタフェースを提供する。トランシーバ７０２は、複数の部品であってよく、すなわち、送信機及び受信機を含み、伝送媒体で様々な他の装置と通信するためのユニットを提供する。異なるユーザ装置に対して、ユーザインタフェース７０４は、必要な装置を外接と内接可能なインタフェースであってもよく、接続される装置は、キーパッド、ディスプレイ、スピーカ、マイクロフォン、ジョイスティックなどを含むが、これらに限定されない。
【０３０７】
プロセッサ７０１は、バスアーキテクチャ及び一般的な処理の管理を担当し、メモリ７０３は、プロセッサ７０１が操作実行時に使用するデータを記憶してもよい。
【０３０８】
ネットワーク側装置７００は、前述の図３の方法の実施例におけるネットワーク側装置によって実現される各プロセスを実現することができ、重複を避けるために、ここでは説明を省略する。
【０３０９】
本開示の実施例に係るコンピュータ可読記憶媒体は、プロセッサによって実行されると、上記図３の方法の実施例の各プロセスを実現し、かつ同様な技術的効果を達成することができるコンピュータプログラムが記憶されており、重複を避けるために、ここでは説明を省略する。上記コンピュータ可読記憶媒体は、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、ディスク又は光ディスクなどであってよい。
【０３１０】
なお、本明細書において、用語「含む」、「備える」及びそれらの任意の変形は、非排他的に備えることをカバーするころを意図することにより、一連の要素を含むプロセス、方法、物品又は装置は、それらの要素を含むだけでなく、明確に例示されていない他の要素をさらに含むか、又はこれらのプロセス、方法、物品又は装置に固有の要素をさらに含む。より多くの限定がない場合に、語句「１つ．．．を含む」により限定された要素は、該要素を含むプロセス、方法、製品又は装置に別の同一の要素がさらに存在することを排除するものではない。
【０３１１】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は関連技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶され、一台の端末（携帯電話、コンピュータ、サーバ、エアコン又はネットワーク装置などであってもよい）に本開示の各実施例に記載の方法を実行させるための複数の命令を含む。
【０３１２】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱せずに多くの形式を行うことができ、これらは、いずれも本開示の保護範囲内に属する。
【符号の説明】
【０３１３】
４００  端末装置
４０１  受信モジュール
５００  端末装置
５００  ネットワーク側装置
５０１  送信モジュール
６００  端末装置
６０１  プロセッサ
６０２  メモリ
６０３  ユーザインタフェース
６０４  ネットワークインタフェース
６０５  バスシステム
６０２１  オペレーティングシステム
６０２２  アプリケーションプログラム
７００  ネットワーク側装置
７０１  プロセッサ
７０２  トランシーバ
７０３  メモリ
７０４  ユーザインタフェース
【図１】
2021532662.tif 000003
【図２】
2021532662.tif 000004
【図３】
2021532662.tif 000005
【図４】
2021532662.tif 000006
【図５】
2021532662.tif 000007
【図６】
2021532662.tif 000008
【図７】
2021532662.tif 000009
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
端末装置に適用される、マルチビームによるアップリンクチャネルの送信のための方法であって、
アップリンクチャネル用の複数のアップリンクビーム情報を含む設定情報を受信することを含み、
ここで、前記複数のアップリンクビーム情報は、前記アップリンクチャネルの関連パラメータと関連付け関係を有する、マルチビームによるアップリンクチャネルの送信のための方法。
【請求項２】
前記の設定情報を受信することは、
前記設定情報を指示するためのダウンリンク制御情報ＤＣＩを受信することを含む、請求項１に記載のマルチビームによるアップリンクチャネルの送信のための方法。
【請求項３】
前記アップリンクチャネルは、物理アップリンク共有チャネルＰＵＳＣＨであり、前記ＤＣＩには、少なくとも１つのサウンディング参照信号リソース指示ＳＲＩシグナリングフィールドが含まれ、
前記ＤＣＩが前記設定情報を指示する方式は、
１つのＳＲＩシグナリングフィールドが、それぞれが１つのアップリンクビーム情報を指示する複数のリソース指示情報を指示することと、
複数のＳＲＩシグナリングフィールドが複数のリソース指示情報を指示することと、
ここで、前記複数のＳＲＩシグナリングフィールドのうちの各ＳＲＩシグナリングフィールドは、それぞれが１つのアップリンクビーム情報を指示する少なくとも１つのリソース指示情報を指示し、
の少なくとも１つを含み、
および／または、
前記アップリンクチャネルは、物理アップリンク制御チャネルＰＵＣＣＨであり、前記ＤＣＩには、少なくとも１つのシグナリングフィールドが含まれ、
前記ＤＣＩが前記設定情報を指示する方式は、
１つのシグナリングフィールドが、それぞれが１つのアップリンクビーム情報を指示する複数のリソース指示情報を指示する１つの物理アップリンク制御チャネル空間関係情報ＰＵＣＣＨ−Ｓｐａｔｉａｌ  Ｒｅｌａｔｉｏｎ  Ｉｎｆｏを指示することと、
少なくとも１つのシグナリングフィールドが、複数のＰＵＣＣＨ−Ｓｐａｔｉａｌ  Ｒｅｌａｔｉｏｎ  Ｉｎｆｏを指示することと、
ここで、前記複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む、請求項２に記載のマルチビームによるアップリンクチャネルの送信のための方法。
【請求項４】
前記ＤＣＩを受信する前には、
ＰＵＳＣＨの空間関係情報Ｓｐａｔｉａｌ  Ｒｅｌａｔｉｏｎを設定するか、又はサウンディング参照信号ＳＲＳリソースのＳｐａｔｉａｌ  Ｒｅｌａｔｉｏｎを設定するための無線リソース制御ＲＲＣシグナリングを受信することをさらに含み、
前記ＲＲＣシグナリングがＰＵＳＣＨのＳｐａｔｉａｌ  Ｒｅｌａｔｉｏｎを設定する方式は、
前記ＲＲＣシグナリングには、複数のリソース指示情報を含む１つの物理アップリンク共有チャネル空間関係情報ＰＵＳＣＨ−Ｓｐａｔｉａｌ  Ｒｅｌａｔｉｏｎ  Ｉｎｆｏが含まれることと、
前記ＲＲＣシグナリングには、それぞれが少なくとも１つのリソース指示情報を含む複数のＰＵＳＣＨ−Ｓｐａｔｉａｌ  Ｒｅｌａｔｉｏｎ  Ｉｎｆｏが含まれることと、
の少なくとも１つを含み、
または、
前記ＲＲＣシグナリングがＳＲＳリソースのＳｐａｔｉａｌ  Ｒｅｌａｔｉｏｎを設定する方式は、
前記ＲＲＣシグナリングが、各ＳＲＳリソースに、複数のリソース指示情報を含む１つのサウンディング参照信号空間関係情報ＳＲＳ−Ｓｐａｔｉａｌ  Ｒｅｌａｔｉｏｎ  Ｉｎｆｏを設定することと、
前記ＲＲＣシグナリングが、各ＳＲＳリソースに、それぞれが少なくとも１つのリソース指示情報を含む複数のＳＲＳ−Ｓｐａｔｉａｌ  Ｒｅｌａｔｉｏｎ  Ｉｎｆｏを設定することと、
の少なくとも１つを含む、請求項３に記載のマルチビームによるアップリンクチャネルの送信のための方法。
【請求項５】
前記アップリンクチャネルは、ＰＵＣＣＨであり、
設定情報を受信することは、
前記設定情報を指示するための上位層シグナリングを受信することを含み、
前記上位層シグナリングは、ＲＲＣシグナリングと、媒体アクセス制御層制御ユニットＭＡＣ  ＣＥシグナリングと、の少なくとも１つを含み、
前記上位層シグナリングが前記設定情報を指示する方式は、
１つのＰＵＣＣＨ−Ｓｐａｔｉａｌ  Ｒｅｌａｔｉｏｎ  Ｉｎｆｏが、それぞれが１つのアップリンクビーム情報を指示する複数のリソース指示情報を指示することと、
複数のＰＵＣＣＨ−Ｓｐａｔｉａｌ  Ｒｅｌａｔｉｏｎ  Ｉｎｆｏが複数のリソース指示情報を指示することと、
ここで、前記複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む、請求項１に記載のマルチビームによるアップリンクチャネルの送信のための方法。
【請求項６】
前記リソース指示情報は、
チャネル状態情報参照信号リソース指示ＣＲＩと、同期信号ブロックリソース指示ＳＳＢＲＩと、ＳＲＩと、の少なくとも１つを含む、請求項３〜５のいずれか一項に記載のマルチビームによるアップリンクチャネルの送信のための方法。
【請求項７】
前記関連付け関係は、
ａ、前記複数のアップリンクビーム情報が異なるアップリンクチャネルに関連付けられることと、
ｂ、前記複数のアップリンクビーム情報が同じアップリンクチャネルにおける異なる伝送ブロックＴＢに関連付けられることと、
ｃ、前記複数のアップリンクビーム情報が同じアップリンクチャネルに対応する異なる層又は異なるアンテナポートに関連付けられることと、
ｄ、前記複数のアップリンクビーム情報が同じアップリンクチャネルの異なる時間で伝送された部分に関連付けられることと、
ｅ、前記複数のアップリンクビーム情報が異なる物理リソースブロックバンドルＰＲＢ  ｂｕｎｄｌｅに関連付けられることと、
ｆ、前記複数のアップリンクビーム情報が同じＰＲＢ  ｂｕｎｄｌｅにおける異なる物理リソースブロックＰＲＢに関連付けられることと、
ｇ、前記複数のアップリンクビーム情報がアップリンクチャネルに対応する異なるリソース割り当てに関連付けられることと、
ｈ、前記複数のアップリンクビーム情報がアップリンクチャネルに対応する異なる変調符号化スキームＭＣＳに関連付けられることと、
ｉ、前記複数のアップリンクビーム情報がアップリンクチャネルに対応する異なる数値設定ｎｕｍｅｒｏｌｏｇｙに関連付けられることと、
ｊ、前記複数のアップリンクビーム情報がアップリンクチャネルに対応する異なるキャリア又は異なる帯域幅部分ＢＷＰに関連付けられることと、
ｋ、前記複数のアップリンクビーム情報がアップリンクチャネルの毎回の繰り返し伝送に関連付けられることと、
の少なくとも１つを含む、請求項１に記載のマルチビームによるアップリンクチャネルの送信のための方法。
【請求項８】
前記アップリンクチャネルがＰＵＳＣＨである場合、前記関連付け関係は、ａ、ｂ、ｃ、ｄ、ｇ、ｈ、ｉ、ｊの少なくとも１つを含み、
前記アップリンクチャネルがＰＵＣＣＨである場合、前記関連付け関係は、ａ、ｃ、ｄ、ｅ、ｆ、ｇ、ｈ、ｉ、ｊ、ｋの少なくとも１つを含む、請求項７に記載のマルチビームによるアップリンクチャネルの送信のための方法。
【請求項９】
前記関連付け関係ａ、ｂ、ｃ、ｅ、ｆ、ｇ、ｈ、ｉ、ｊ、ｋのうちの１つ以上に基づいて、前記複数のアップリンクビーム情報を同時に使用してアップリンクチャネルを送信することをさらに含み、
または、
前記関連付け関係ａ、ｂ、ｃ、ｄ、ｅ、ｆ、ｇ、ｈ、ｉ、ｊ、ｋのうちの１つ以上に基づいて、予め設定されたビームの使用順序で前記複数のアップリンクビーム情報を使用してアップリンクチャネルを送信することをさらに含む、請求項７に記載のマルチビームによるアップリンクチャネルの送信のための方法。
【請求項１０】
ビーム切り替えポイントを決定することをさらに含み、
前記ビーム切り替えポイントを決定することは、
ネットワーク側装置による設定、又はプロトコルにより規定される周波数ホッピングポイントに基づいて、前記ビーム切り替えポイントを決定することを含み、
または、
前記ビーム切り替えポイントを決定することは、
ネットワーク側装置による設定又はプロトコルによる規定によって、少なくとも１つの前記ビーム切り替えポイントを決定することを含む、請求項９に記載のマルチビームによるアップリンクチャネルの送信のための方法。
【請求項１１】
ネットワーク側装置に適用される、マルチビームによるアップリンクチャネルの送信のための方法であって、
アップリンクチャネル用の複数のアップリンクビーム情報を含む設定情報を送信することを含み、
ここで、前記複数のアップリンクビーム情報は、前記アップリンクチャネルの関連パラメータと関連付け関係を有する、マルチビームによるアップリンクチャネルの送信のための方法。
【請求項１２】
前記設定情報を送信することは、
前記設定情報を指示するためのＤＣＩを送信することを含み、
前記アップリンクチャネルは、ＰＵＳＣＨであり、前記ＤＣＩには、少なくとも１つのＳＲＩシグナリングフィールドが含まれ、
前記ＤＣＩが前記設定情報を指示する方式は、
１つのＳＲＩシグナリングフィールドが、それぞれが１つのアップリンクビーム情報を指示する複数のリソース指示情報を指示することと、
複数のＳＲＩシグナリングフィールドが複数のリソース指示情報を指示することと、
ここで、前記複数のＳＲＩシグナリングフィールドのうちの各ＳＲＩシグナリングフィールドは、それぞれが１つのアップリンクビーム情報を指示する少なくとも１つのリソース指示情報を指示し、
の少なくとも１つを含み、
および/または
前記アップリンクチャネルは、ＰＵＣＣＨであり、前記ＤＣＩには、少なくとも１つのシグナリングフィールドが含まれ、
前記ＤＣＩが前記設定情報を指示する方式は、
１つのシグナリングフィールドが、それぞれが１つのアップリンクビーム情報を指示する複数のリソース指示情報を指示する１つのＰＵＣＣＨ−Ｓｐａｔｉａｌ  Ｒｅｌａｔｉｏｎ  Ｉｎｆｏを指示することと、
少なくとも１つのシグナリングフィールドが、複数のＰＵＣＣＨ−Ｓｐａｔｉａｌ  Ｒｅｌａｔｉｏｎ  Ｉｎｆｏを指示することと、
ここで、前記複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む、請求項１１に記載のマルチビームによるアップリンクチャネルの送信のための方法。
【請求項１３】
前記アップリンクチャネルは、ＰＵＣＣＨであり、
設定情報を送信することは、
前記設定情報を指示するための上位層シグナリングを送信することを含み、
前記上位層シグナリングは、ＲＲＣシグナリングと、ＭＡＣ  ＣＥシグナリングと、の少なくとも１つを含み、
前記上位層シグナリングが前記設定情報を指示する方式は、
１つのＰＵＣＣＨ−Ｓｐａｔｉａｌ  Ｒｅｌａｔｉｏｎ  Ｉｎｆｏが、それぞれが１つのアップリンクビーム情報を指示する複数のリソース指示情報を指示することと、
複数のＰＵＣＣＨ−Ｓｐａｔｉａｌ  Ｒｅｌａｔｉｏｎ  Ｉｎｆｏが複数のリソース指示情報を指示することと、
ここで、前記複数のＰＵＣＣＨ−Ｓｐａｔｉａｌ  Ｒｅｌａｔｉｏｎ  Ｉｎｆｏのうちの各ＰＵＣＣＨ−Ｓｐａｔｉａｌ  Ｒｅｌａｔｉｏｎ  Ｉｎｆｏは、それぞれが１つのアップリンクビーム情報を指示する少なくとも１つのリソース指示情報を指示し、
の少なくとも１つを含む、請求項１１に記載のマルチビームによるアップリンクチャネルの送信のための方法。
【請求項１４】
アップリンクチャネル用の複数のアップリンクビーム情報を含む設定情報を受信するための受信モジュールを含み、
ここで、前記複数のアップリンクビーム情報は、前記アップリンクチャネルの関連パラメータと関連付け関係を有する、端末装置。
【請求項１５】
アップリンクチャネル用の複数のアップリンクビーム情報を含む設定情報を送信するための送信モジュールを含み、
ここで、前記複数のアップリンクビーム情報は、前記アップリンクチャネルの関連パラメータと関連付け関係を有する、ネットワーク側装置。
【国際調査報告】
2021532662.tif 000010
2021532662.tif 000011
2021532662.tif 000012
2021532662.tif 000013